(57)【要約】【課題】室外熱交換器の性能低下を防止することができる空調室外ユニットの提供。【解決手段】空調室外ユニット３０は、内部が左右に並ぶ送風機室と機械室とに分かれているケーシング４０と、機械室に配置される圧縮機３１と、送風機室に配置される室外熱交換器３３と、送風機室に配置される室外ファン３９と、板状の加湿ロータ６３を有する加湿ユニット６０と、を備える。室外ファン３９は、室外熱交換器３３に外気を通す。加湿ロータ６３は、外気中の水分を吸着する吸湿領域６３ａと、加熱されることで吸湿領域６３ａに吸着した水分を放湿する放湿領域６３ｂとを含む。加湿ロータ６３は、鉛直面に沿って室外熱交換器３３より前方に配設される。加湿ロータ６３は、吸湿領域６３ａが送風機室に位置し、放湿領域６３ｂが機械室に位置するように、配置されている。そして、加湿ロータ６３を回転駆動させるロータ駆動モータ６５の全体が、機械室に配置されている。【選択図】図１
2015092130.tif 000002
【特許請求の範囲】
【請求項１】
内部が左右に並ぶ送風機室（Ｓ１）と機械室（Ｓ２）とに分かれるケーシング（４０）と、
前記機械室に配置される圧縮機（３１）と、
前記送風機室に配置される室外熱交換器（３３）と、
前記送風機室に配置されており、前記室外熱交換器に外気を通す室外ファン（３９）と、
外気中の水分を吸着する吸湿領域（６３ａ）と加熱されることで前記吸湿領域に吸着した水分を放出する放湿領域（６３ｂ）とを含み鉛直面に沿って前記室外熱交換器よりも前方に配設される板状のロータ（６３）、を有する加湿ユニット（６０）と、
を備え、
前記ロータは、前記吸湿領域が前記送風機室に位置し、前記放湿領域が前記機械室に位置するように配置されており、
前記ロータを回転駆動させるロータ駆動モータ（６５）の全体が、前記機械室に配置されている、
空調室外ユニット（３０）。
【請求項２】
前記圧縮機及び前記室外ファンを含む機器の制御を行うための電装品を収納する電装品箱（５０）、
を備え、
前記電装品箱は、正面視において、少なくともその一部が前記ロータと重なるように配置されている、
請求項１に記載の空調室外ユニット。
【請求項３】
前記電装品箱は、鉛直面に沿って配設されており、
前記電装品箱と前記ロータとは、前後に並ぶように配置されている、
請求項２に記載の空調室外ユニット。
【請求項４】
前記機械室は、前方に向かうにつれて左右方向の幅が広くなるように形成されており、
前記電装品箱は、前記機械室の内部前方に配置されている、
請求項２又は３に記載の空調室外ユニット。
【請求項５】
前記ロータは、その上端（６３ｔ）が、前記室外熱交換器の上端（３３ｔ）近傍、或いは前記室外熱交換器の上端よりも低い位置にあるように配置されている、
請求項１から４のいずれか１項に記載の空調室外ユニット。
【請求項６】
前記加湿ユニットは、前記放湿領域を加熱するためのヒータ（７１）、を有し、
前記ヒータは、前記機械室に配置される、
請求項１から５のいずれか１項に記載の空調室外ユニット。
【請求項７】
前記室外熱交換器と前記ロータとの間には、隙間がある、
請求項１から６のいずれか１項に記載の空調室外ユニット。
【発明の詳細な説明】
【技術分野】
【０００１】
本発明は、加湿ユニットを備える空調室外ユニットに関する。
【背景技術】
【０００２】
従来より、圧縮機、室外熱交換器及び室外ファンなどを収納する室外ユニットの上に、室外ユニットとは別体で室内を加湿するための加湿ユニットを搭載した空調室外ユニットがある。このような空調室外ユニットでは、加湿ユニットが室外ユニットの上に搭載されていることで空調室外ユニットの高さ寸法が大きくなるため、空調室外ユニットの製品サイズが大きくなるという問題がある。
【０００３】
これに対する対策の１つとして、例えば、特許文献１（特開２０１２−２５１６９２号公報）に開示されている空調室外ユニットでは、加湿ユニットの備える各部品を室外ユニット上部に移動させて室外ユニットに内蔵し空調室外ユニットの高さ寸法を抑えることで、加湿機能を備えており、かつ製品サイズを小さくした空調室外ユニットを実現している。
【発明の概要】
【発明が解決しようとする課題】
【０００４】
ところで、一般的に、空調室外ユニットの内部は、圧縮機等が配置される機械室と室外熱交換器及び室外ファン等が配置される送風機室とに分かれている。ここで、特許文献１に開示されている空調室外ユニットでは、加湿ユニットの備える部品の１つであり外気から水分を吸着しかつ吸着した水分を放湿するロータは、水平面に沿って配置されている。さらに、該ロータ全体が、送風機室に位置しており、室外熱交換器の前方に配置されている。ロータがこのように配置されると、室外熱交換器の一部が加湿ユニットで塞がれてしまうことがある。そうすると、室外熱交換器において加湿ユニットで塞がれた部分を外気が通りにくくなるため、室外熱交換器の性能が低下してしまうおそれがある。
【０００５】
そこで、本発明の課題は、室外熱交換器の性能低下を防止することができる空調室外ユニットを提供することにある。
【課題を解決するための手段】
【０００６】
本発明の第１観点に係る空調室外ユニットは、ケーシングと、圧縮機と、室外熱交換器と、室外ファンと、加湿ユニットと、を備える。ケーシングは、内部が左右に並ぶ送風機室と機械室とに分かれている。圧縮機は、機械室に配置される。室外熱交換器は、送風機室に配置される。室外ファンは、送風機室に配置されている。また、室外ファンは、室外熱交換器に外気を通す。加湿ユニットは、板状のロータを有する。ロータは、吸湿領域と、放湿領域とを含む。吸湿領域は、外気中の水分を吸着する領域である。放湿領域は、加熱されることで吸湿領域に吸着した水分を放湿する領域である。また、ロータは、鉛直面に沿って室外熱交換器より前方に配設される。ロータは、吸湿領域が送風機室に位置し、放湿領域が機械室に位置するように、配置されている。そして、ロータを回転駆動させるロータ駆動モータの全体が、機械室に配置されている。
【０００７】
本発明の第１観点に係る空調室外ユニットでは、ロータが鉛直面に沿って配設されており、吸湿領域が送風機室に位置しており、放湿領域が機械室に位置している。このため、ロータを水平面に沿って配置している形態と比較して、室外熱交換器とロータとの距離を大きくとることが可能となり、室外熱交換器に外気が流れにくくなることに伴う性能低下を防止することができる。
【０００８】
ここで、ロータを回転駆動させるロータ駆動モータが送風機室と機械室とに跨って配置されているような場合、ロータ駆動モータにおいて、送風機室側に位置する部分は室外ファンの駆動により発生する外気流に晒されることになり、機械室側に位置する部分は圧縮機等の駆動により発生する排熱に晒されることになる。そうすると、ロータ駆動モータにおいて、送風機室側に位置する部分が冷却され、圧縮機室側に位置する部分が加熱されるため、ロータ駆動モータに異常が生じやすくなり、この結果、ロータ駆動モータの耐久性の確保が難しくなる。
【０００９】
本発明では、ロータ駆動モータの全体が機械室に配置されている。このため、送風ファンの駆動によりその一部が冷却されることに起因するロータ駆動モータの異常を防ぐことができる。これにより、ロータ駆動モータの耐久性の確保を実現することができる。
【００１０】
なお、ここでいうロータが鉛直面に沿って配設されるとは、ロータが鉛直面に対して全く傾斜していないものから、ロータが鉛直面に対して±１５°程度傾いて配置されているものまで含まれる。
【００１１】
本発明の第２観点に係る空調室外ユニットは、第１観点の空調室外ユニットにおいて、電装品箱を備える。電装品箱は、圧縮機及び室外ファンを含む機器の制御を行うための電装品を収納する。そして、電装品箱は、空調室外ユニットの正面視において、少なくともその一部がロータと重なるように配置されている。この空調室外ユニットでは、正面視において、電装品箱の少なくとも一部がロータと重なるように配置されている。このため、例えば、ロータと電装品箱とが正面視において重ならないように左右に並んで配置されているよりも、ケーシングの左右方向の寸法を小さくすることができる。
【００１２】
これによって、空調室外ユニットの小型化を実現することができる。
【００１３】
本発明の第３観点に係る空調室外ユニットは、第２観点の空調室外ユニットにおいて、電装品箱は、鉛直面に沿って配設される。そして、電装品箱とロータとは、前後に並ぶように配置されている。この空調室外ユニットでは、ロータ及び電装品箱それぞれが鉛直面に沿って配設されており、電装品箱とロータとが前後に並ぶように配置されているため、例えば、その長手方向が水平面に沿って延びるように電装品箱が配設されているよりも、ケーシングの前後方向の幅寸法を小さくすることができる。
【００１４】
これによって、空調室外ユニットの薄型化を実現することができる。
【００１５】
なお、ここでいう電装品箱が鉛直面に沿って配設されるとは、電装品箱が鉛直面に対して全く傾斜していないものから、電装品箱が鉛直面に対して±１５°程度傾いて配置されているものまで含まれる。
【００１６】
本発明の第４観点に係る空調室外ユニットは、第２観点又は第３観点の空調室外ユニットにおいて、機械室は、前方に向かうにつれて左右方向の幅が広くなるように形成されている。そして、電装品箱は、機械室の内部前方に配置されている。この空調室外ユニットでは、機械室の内部後方よりも左右方向の幅が広い機械室の内部前方に電装品箱が配置されるため、電装品箱が機械室の内部後方に配置されるよりも、電装品箱の左右方向の寸法を大きくすることができる。
【００１７】
これにより、電装品箱の設計の自由度を向上させることができる。
【００１８】
本発明の第５観点に係る空調室外ユニットは、第１観点から第４観点のいずれかの空調室外ユニットにおいて、ロータは、その上端が、室外熱交換器の上端近傍、或いは室外熱交換器の上端よりも低い位置にあるように配置されている。このため、この空調室外ユニットでは、製品サイズが過度に大きくなるのを抑制することができる。
【００１９】
本発明の第６観点に係る空調室外ユニットは、第１観点から第５観点のいずれかの空調室外ユニットにおいて、加湿ユニットは、ヒータを有する。ヒータは、放湿領域を加熱するためのものである。そして、ヒータは、機械室に配置される。この空調室外ユニットでは、ヒータ及びロータ駆動モータが機械室に配置されるため、配線の取り回し作業を簡易にすることができる。これにより、組立性及びメンテナンス性を向上させることができる。
【００２０】
本発明の第７観点に係る空調室外ユニットは、第１観点から第６観点のいずれかの空調室外ユニットにおいて、室外熱交換器とロータとの間には、隙間がある。このため、この空調室外ユニットでは、ロータが室外熱交換器に接触しないようにすることができ、ロータの破損を防止することができる。
【００２１】
本発明の第８観点に係る空調室外ユニットは、ケーシングと、圧縮機と、室外熱交換器と、室外ファンと、加湿ユニットと、電装品箱と、を備える。ケーシングは、内部が左右に並ぶ送風機室と機械室とに分かれている。圧縮機は、機械室に配置される。室外熱交換器は、送風機室に配置される。室外ファンは、送風機室に配置されている。また、室外ファンは、室外熱交換器に外気を通す。加湿ユニットは、板状のロータを有する。ロータは、吸湿領域と、放湿領域とを含む。吸湿領域は、外気中の水分を吸着する領域である。放湿領域は、加熱されることで吸湿領域に吸着した水分を放湿する領域である。また、ロータは、鉛直面に沿って室外熱交換器より前方に配設される。電装品箱は、圧縮機及び室外ファンを含む機器の制御を行うための電装品を収納する。ロータは、吸湿領域が送風機室に位置し、放湿領域が機械室に位置するように、配置されている。そして、電装品箱は、正面視において、少なくともその一部がロータと重なるように配置されている。
【００２２】
従来より、圧縮機、室外熱交換器及び室外ファンなどを収納する室外ユニットと、外気から水分を吸着しかつ吸着した水分を放湿するロータを有する加湿ユニットとを備える空調室外ユニットがある。そして、一般に、圧縮機や室外ファン等の制御を行うための電装品を収納する電装品箱は、空調室外ユニットの内部に配置されている。
【００２３】
ところで、ロータと電装品箱とが正面視において重ならないように左右に並んで配置されている場合、ケーシングの左右方向の寸法は、ロータ及び電装品箱の左右方向の寸法以上の寸法が必要になる。このように、ケーシングを設計する際には、収納される機器の寸法を考慮しなければならないところ、ケーシングの寸法が大きくなると、空調室外ユニットの製品サイズが大きくなるという問題がある。
【００２４】
そこで、本発明の第８観点に係る空調室外ユニットでは、正面視において、電装品箱の少なくとも一部がロータと重なるように配置されている。このため、例えば、ロータと電装品箱とが正面視において、重ならないように左右に並んで配置されているよりも、ケーシングの左右方向の寸法を小さくすることができる。
【００２５】
これによって、空調室外ユニットの小型化を実現することができる。
【００２６】
なお、ここでいうロータが鉛直面に沿って配設されるとは、ロータが鉛直面に対して全く傾斜していないものから、ロータが鉛直面に対して±１５°程度傾いて配置されているものまで含まれる。
【００２７】
ここで、空調室外ユニットにおいて、ロータや電装品箱の長手方向が水平面に沿って延びるようにロータや電装品箱が配置されている場合、ケーシングの前後方向の幅寸法は、ロータや電装品箱の前後方向の幅寸法を考慮して設計する必要がある。
【００２８】
そこで、本発明に係る空調室外ユニットにおいて、電装品箱が鉛直面に沿って配設されており、電装品箱とロータとが、前後に並ぶように配置されていれば、例えば、その長手方向が水平面に沿って延びるように電装品箱が配設されているよりも、ケーシングの前後方向の幅寸法を小さくすることができる。
【００２９】
これによって、空調室外ユニットの薄型化を実現することができる。
【００３０】
なお、ここでいう電装品箱が鉛直面に沿って配設されるとは、電装品箱が鉛直面に対して全く傾斜していないものから、電装品箱が鉛直面に対して±１５°程度傾いて配置されているものまで含まれる。
【００３１】
さらに、本発明に係る空調室外ユニットにおいて、機械室が、前方に向かうにつれて左右方向の幅が広くなるように形成されており、電装品箱が、機械室の内部前方に配置されていれば、機械室の内部後方よりも左右方向の幅が広い機械室の内部前方に電装品箱が配置されるため、電装品箱が機械室の内部後方に配置されるよりも、電装品箱の左右方向の
寸法を大きくすることができる。
【００３２】
これにより、電装品箱の設計の自由度を向上させることができる。
【００３３】
そして、本発明に係る空調室外ユニットにおいて、加湿ユニットが放湿領域を加熱するためのヒータを有しており、ロータがロータ駆動モータによって回転駆動され、電装品箱だけでなくヒータ及びロータ駆動モータが機械室に配置されていれば、配線の取り回し作業を簡易にすることができる。これにより、組立性及びメンテナンス性を向上させることができる。
【発明の効果】
【００３４】
本発明の第１観点に係る空調室外ユニットでは、室外熱交換器の性能低下を防止することができる。
【００３５】
本発明の第２観点に係る空調室外ユニットでは、空調室外ユニットの小型化を実現することができる。
【００３６】
本発明の第３観点に係る空調室外ユニットでは、空調室外ユニットの薄型化を実現することができる。
【００３７】
本発明の第４観点に係る空調室外ユニットでは、電装品箱の設計の自由度を向上させることができる。
【００３８】
本発明の第５観点に係る空調室外ユニットでは、製品サイズが過度に大きくなるのを抑制することができる。
【００３９】
本発明の第６観点に係る空調室外ユニットでは、組立性及びメンテナンス性を向上させることができる。
【００４０】
本発明の第７観点に係る空調室外ユニットでは、ロータの破損を防止することができる。
【図面の簡単な説明】
【００４１】
【図１】本発明の一実施形態に係る空調室外ユニットを備える空気調和装置の概略冷媒回路図。
【図２】本発明の一実施形態に係る空調室外ユニットの正面図。
【図３】本発明の一実施形態に係る空調室外ユニットの斜視図。
【図４】本発明の一実施形態に係る空調室外ユニットの平面図。
【図５】加湿ユニットの分解図。
【図６】加湿ロータにおける空気流れを説明するための図。
【図７】加湿ロータの放湿領域、吸湿領域及び再熱領域を説明するための図。
【図８】変形例Ａに係る空調室外ユニットにおいて、加湿ユニット及び電装品箱の配置を説明するための図。
【図９】変形例Ｃに係る空調室外ユニットの備えるガイドの斜視図。
【図１０】変形例Ｃに係る空調室外ユニットの備える加湿ユニットの斜視図。
【図１１】変形例Ｃに係る空調室外ユニットの平面図。
【発明を実施するための形態】
【００４２】
以下、図面を参照しながら、本発明の実施形態について説明する。なお、本発明に係る空調室外ユニット３０の実施形態は、以下に説明する実施形態に限られるものではなく、発明の要旨を逸脱しない範囲で変更可能である。
【００４３】
（１）全体構成
本発明の一実施形態に係る空調室外ユニット３０を備える空気調和装置１０は、図１に示すように、空調室外ユニット３０の他に、空調室内ユニット２０を備えており、空調室内ユニット２０と空調室外ユニット３０とが連絡配管１２によって接続されて構成されている。この空気調和装置１０は、冷房運転、暖房運転、除湿運転、加湿運転及び換気運転などの複数の運転モードを有しており、これらの運転モードを適宜組み合わせることもできる。
【００４４】
冷房運転及び暖房運転では、室内の空気を冷やしたり温めたりするため、空調室内ユニット２０及び空調室外ユニット３０でそれぞれ熱交換が行われ、連絡配管１２を通して空調室内ユニット２０と空調室外ユニット３０との間で熱の移動がある。このような熱交換と熱の移動とを行わせるために、空気調和装置１０は、図１に示すような冷媒回路を有している。冷媒回路には、主に、圧縮機３１、四路切替弁３２、室外熱交換器３３、電動弁３４及び室内熱交換器２１が接続されている。室内熱交換器２１は、空調室内ユニット２０に設けられており、圧縮機３１、四路切替弁３２、室外熱交換器３３及び電動弁３４は、空調室外ユニット３０に設けられている。そして、連絡配管１２の中には、空調室内ユニット２０と空調室外ユニット３０とを実質的に接続している液冷媒配管１４及びガス冷媒配管１６が通っている。
【００４５】
また、加湿運転及び換気運転では、室内に外気を供給するため、連絡配管１２の中を通る給気ダクト１８を介して空調室外ユニット３０から空調室内ユニット２０への空気の移動がある。特に、加湿運転では、水分を多く含んだ湿度の高い空気を空調室外ユニット３０から空調室内ユニット２０に供給するため、空調室外ユニット３０において外気から水分を積極的に取り込む。このため、空調室外ユニット３０は、外気から水分を取り込む機能を有する加湿ユニット６０を備えている。
【００４６】
（１−１）冷媒回路の動作
冷媒回路の動作は従来からあるものと変わらないが、図１に示す冷媒回路の動作について簡単に説明する。
【００４７】
冷房時には、四路切替弁３２が図１に示す実線の状態に接続されており、圧縮機３１で圧縮されて吐出された冷媒が四路切替弁３２を介して室外熱交換器３３に送られる。室外熱交換器３３で外気との熱交換が行われて熱を奪われた冷媒は、電動弁３４に送られる。高圧液状の冷媒が電動弁３４で低圧状態に変化する。電動弁３４で膨張した冷媒は、フィルタ３５を介して液閉鎖弁３７及び液冷媒配管１４を通って室内熱交換器２１に入る。室内熱交換器２１で室内空気との熱交換が行われて熱を奪って温度が上昇した冷媒は、ガス冷媒配管１６及びガス閉鎖弁３８を通って四路切替弁３２に送られる。四路切替弁３２はガス閉鎖弁３８とアキュムレータ３６とが接続された状態であるため、ガス冷媒配管１６を通って室内熱交換器２１から送られてきた冷媒は、アキュムレータ３６を介して圧縮機３１に送られ圧縮機３１に吸入される。
【００４８】
暖房時には、四路切替弁３２が図１に示す破線の状態に接続されており、圧縮機３１で圧縮されて吐出された冷媒が室内熱交換器２１に送られる。そして、冷房時とは逆の経路をたどって、室外熱交換器３３を出た冷媒は圧縮機３１に戻ってくる。つまり、暖房時には、圧縮機３１、四路切替弁３２、ガス冷媒配管１６、室内熱交換器２１、液冷媒配管１４、電動弁３４、室外熱交換器３３、四路切替弁３２、アキュムレータ３６及び圧縮機３１の順に冷媒が循環する。
【００４９】
（２）詳細構成
（２−１）空調室内ユニット２０の構成
空調室内ユニット２０には、室内熱交換器２１の他に、図１に示すように、モータで駆動される室内ファン２２が室内熱交換器２１の下流側に設けられている。室内ファン２２としては、例えばクロスフローファンが採用される。室内ファン２２が駆動されると、空調室内ユニット２０上部の吸込口２３から吸い込まれた室内空気が、室内熱交換器２１を通過して空調室内ユニット２０下部の吹出口２４から吹き出される。
【００５０】
また、空調室内ユニット２０には、給気ダクト１８の給気口２５が、室内熱交換器２１の上流側空間に設けられている。給気ダクト１８は加湿ユニット６０に接続されており、加湿ユニット６０から送られてくる空気が給気口２５から室内熱交換器２１の上流側空間に供給される。そして、加湿ユニット６０から送られてくる空気が湿度の高い空気である場合、該空気が給気口２５から供給されている状態で室内ファン２２を駆動することにより、空調室内ユニット２０の吹出口２４から吹き出される調和空気の湿度を高くすることができる。このとき同時に室内熱交換器２１を凝縮器として用いることで、空調室内ユニット２０に、加湿運転と暖房運転を同時に行わせることができる。
【００５１】
（２−２）空調室外ユニット３０の構成
（２−２−１）空調室外ユニット３０の構成の概要
空調室外ユニット３０は、ケーシング４０を備えている。そして、図１に示すように、ケーシング４０の内部は、仕切板４３によって送風機室Ｓ１と機械室Ｓ２とに分けられている。空調室外ユニット３０では、送風機室Ｓ１から機械室Ｓ２に風が回り込まないように、送風機室Ｓ１と機械室Ｓ２とが仕切板４３によって遮蔽されている。
【００５２】
空調室外ユニット３０には、冷媒回路を構成する上述の機器や加湿ユニット６０の他に、室外ファン３９が室外熱交換器３３の前方に配設されている。なお、図１に示すように、室外ファン３９及び室外熱交換器３３は送風機室Ｓ１に配置されており、圧縮機３１、四路切替弁３２、電動弁３４及びアキュムレータ３６は、機械室Ｓ２に配置されている。
【００５３】
（２−２−２）ケーシング４０
図２は、空調室外ユニット３０の正面図であり、空調室外ユニット３０から電装品箱５０、グリル及び前板４６の一部が取り外された状態を示している。図３は、空調室外ユニット３０の斜視図であり、電装品箱５０の本体５１、グリル及び天板４８が取り外された空調室外ユニット３０において、図２で取り外されている前板４６の一部を仮想面とした状態を示している。図４は、空調室外ユニット３０の平面図であり、空調室外ユニット３０の天板４８が取外された状態を示している。なお、図４に記載の矢印は、加湿ロータ６３の吸湿領域６３ａを通る空気の流れを示している。
【００５４】
空調室外ユニット３０のケーシング４０は、図２、図３及び図４に示すように、前板４６、左側板４５、右側板４７、天板４８及び底板４９を備えている。
【００５５】
前板４６には、図２及び図３に示すように、円形の吹出口４４が形成されており、吹出口４４の周囲にリング状のベルマウス４６ａが取り付けられている。また、吹出口４４の前面側は、グリル（図示せず）で覆われており、後述する室外ファン３９のプロペラ３９ｂが空調室外ユニット３０の外部にある物と接触しないよう構成されている。グリルは、ケーシング４０の前板４６に取り付けられている。
【００５６】
また、左側板４５は、図３に示すように、格子形状に成形されており、左側方から室外熱交換器３３に外気を導くことができる。右側板４７は、後述する室外熱交換器３３の第２部分３３ｂの右端から右側面に至る後面の一部及び右側面全体を構成している。
【００５７】
なお、送風機室Ｓ１の後側には、室外熱交換器３３の第２部分３３ｂを覆う保護金網が取り付けられている。図示省略されているが、保護金網は、室外熱交換器３３の第２部分３３ｂに外気を導くための開口が形成されている。
【００５８】
また、本実施形態では、右側板４７には、後述する放湿経路の入口となる吸入口７２が形成されている。
【００５９】
仕切板４３は、図４に示すように、室外熱交換器３３の右端から前方に向かって延びるとともに、底板４９から上方に延びている。このため、仕切板４３を境として、ケーシング４０の内部は左右に並ぶ送風機室Ｓ１と機械室Ｓ２とに分かれているといえる。また、前方に向かうにつれて機械室Ｓ２の左右方向の幅が広くなるように、仕切板４３が前後方向に対して斜めに配設されている（図４参照）。なお、本実施形態では、仕切板４３は湾曲している。また、仕切板４３の後部は、底板４９から天板４８まで延びている。一方、仕切板４３の前部及び中央部には、上縁から下方に向かって切り欠かれた開口部４３ａが形成されている（図３及び図４参照）。開口部４３ａには、後述する加湿ユニット６０の一部及び電装品箱５０の一部が配置される。電装品箱５０は、本体５１と、ヒートシンク５２とを有する。本体５１は、例えばアルミ等の金属製であってもよく、弾性を有する樹脂製であってもよい。樹脂材料としては、例えばＨＩＰＳ（High Impact Polystyrene）及びＡＢＳ（Acrylonitrile Butadiene Styrene）等が用いられる。本体５１は、前方に開口した箱状の部材であり、空調室外ユニット３０の正面視において開口が前方に位置するように配置される。すなわち、本体５１は、機械室Ｓ２の内部前方に配置されているといえる。また、本体５１には、空調室外ユニット３０の備える各種機器を駆動するための電子部品を集約した制御基板（図示せず）が搭載されている。制御基板は、電子部品等が配置されている面が本体５１の開口に面するように配置されている。そして、本体５１の開口を塞ぐように前板４６が配置される。このため、前板４６を外すことで制御基板が露出することになり、本体５１内のメンテナンスが容易になっている。また、本体５１は、鉛直面に沿って配設されている。なお、ここでいう本体５１が鉛直面に沿って配設されているとは、本体５１が鉛直面に対して全く傾斜していないものから、本体５１が鉛直面に対して±１５°程度傾いて配置されているものまで含まれる。そして、本実施形態の本体５１は、鉛直面に対して全く傾いていないものとする。このため、本体５１は、前後方向に場所を取らないように幅方向（厚さ方向）が前後に延びる縦置きの配置となっている。ヒートシンク５２は、本体５１に収納された電装品の発熱を外部に逃がすためのフィンであって、開口部４３ａから送風機室Ｓ１内に向かって突出するように配置されている。なお、本実施形態では、ヒートシンク５２全体が送風機室Ｓ１側に配置されているが、ヒートシンク５２の一部が機械室Ｓ２側に配置されていてもよい。また、仕切板４３の前端部は、前板４６に接して取り付けられる。
【００６０】
（２−２−３）室外熱交換器３３
室外熱交換器３３は、図３及び図４に示すように、上面視Ｌ型の形状を呈しており、ケーシング４０の左側板４５に正対する第１部分３３ａと、ケーシング４０の背面を構成する保護金網に正対する第２部分３３ｂとを有する。
【００６１】
また、室外熱交換器３３は、底板４９から天板４８に達する背丈を持っている。そして、室外熱交換器３３は、高さ方向に長く延びる多数のフィンと、フィンを貫いて水平に取り付けられている伝熱管とを有している。伝熱管は、室外熱交換器３３の両端部で複数回折り返されることによって高さ方向に多数列配置されている。
【００６２】
（２−２−４）室外ファン３９
室外ファン３９は、室外熱交換器３３の背面側（後方側）から室外熱交換器３３を通して吸い込まれた外気を、空調室外ユニット３０の正面側（前方側）に吹き出させるファンであって、本実施形態では、プロペラファンである。室外ファン３９は、ファンモータ３９ａと、ファンモータ３９ａによって駆動されるプロペラ３９ｂを有する。プロペラ３９ｂは、その一部がベルマウス４６ａで囲まれた空間内に入るように配置されている。また、ファンモータ３９ａはプロペラ３９ｂの背面側に取り付けられており、プロペラ３９ｂの回転軸とファンモータ３９ａの駆動軸とが結合されている。さらに、ファンモータ３９ａは、ファンモータ台（図示せず）によって支持されている。ファンモータ台は、底板４９及び室外熱交換器３３の上端３３ｔに固定された固定板（図示せず）に取り付けられている。
【００６３】
（２−２−５）加湿ユニット６０
図５は、加湿ユニット６０の分解図である。加湿ユニット６０は、吸湿経路と放湿経路とを有しており、吸湿経路が空調室外ユニット３０の送風機室Ｓ１に、放湿経路が空調室外ユニット３０の機械室Ｓ２に位置するように配設されている。
【００６４】
また、空調室外ユニット３０において、加湿ユニット６０の上端の位置は、室外熱交換器３３の上端（頂部）３３ｔ近傍、或いは室外熱交換器３３の上端３３ｔよりも低い位置にあるように配置されている。なお、本実施形態では、加湿ユニット６０の上端とはフレーム７０の上端のことであり、フレーム７０の上端の高さは室外熱交換器３３の上端３３ｔの高さと一致しているものとする。
【００６５】
加湿ユニット６０は、主に、加湿ロータ６３と、ヒータ７１と、ターボファン７５と、を備えている。そして、加湿ロータ６３の一部が吸湿経路に配置されており、加湿ロータ６３の他部、ヒータ７１及びターボファン７５が放湿経路に配置されている。また、加湿ロータ６３、ヒータ７１及びターボファン７５は、フレーム７０に固定されている。より詳しくは、ヒータ７１及び加湿ロータ６３は支持板７３に固定されており、支持板７３がフレーム７０の背面側に取り付けられている（図５参照）。また、ターボファン７５は、支持板７３が取り付けられている面とは反対側のフレーム７０の正面側に取り付けられている（図５参照）。
【００６６】
（２−２−５−１）加湿ロータ６３
加湿ロータ６３は、１つの板状の吸放湿材である。なお、加湿ロータ６３の形状は板状であればどのような形状であってもよい。本実施形態では、加湿ロータ６３は、円盤状を呈するものとする。また、ここでいう１つの板状の吸放湿材には、単体の板状の吸放湿材が加湿ロータ６３を構成しているものの他、同一形状又は異なる形状の吸放湿材が複数組み合わされて１つの板状の加湿ロータ６３を構成しているものも含まれる。加湿ロータ６３は、ゼオライト等の焼成によって形成されたハニカム構造のゼオライトロータである。加湿ロータ６３は、円盤の中心を回転軸として回転するように取り付けられ、加湿ロータ６３の周囲に設けられているギア６４に伝達されるロータ駆動モータ６５の動力によって回転駆動される。ロータ駆動モータ６５は、その全体が機械室Ｓ２に配置されている。さらに、本実施形態では、ロータ駆動モータ６５は、正面視において、加湿ロータ６３と重ならないように、加湿ロータ６３の外周よりも径方向外側に配置されている。
【００６７】
加湿ロータ６３を形成しているゼオライト等の吸着剤は、例えば常温で空気から吸湿し、ヒータ７１などで高温に加熱された空気により常温よりも高い温度になることによって放湿するという性質を持っている。すなわち、加湿ロータ６３のうちの高温の空気にさらされていない領域が外気中から水分を吸着する吸湿領域６３ａになり、高温の空気にさらされている領域が吸着した水分を放出する放湿領域６３ｂになる。
【００６８】
また、加湿ロータ６３は、回転軸が前後方向に延びるように配置されている。すなわち、加湿ロータ６３は、鉛直面に沿って配設されている。なお、ここでいう加湿ロータ６３が鉛直面に沿って配設されているとは、加湿ロータ６３が鉛直面に対して全く傾斜していないものから、加湿ロータ６３が鉛直面に対して±１５°程度傾いて配置されているものまで含まれる。そして、本実施形態の加湿ロータ６３は、鉛直面に対して全く傾いていないものとする。このため、加湿ロータ６３は、前後方向に場所を取らないように幅方向（厚さ方向）が前後に延びる縦置きの配置となっている。
【００６９】
さらに、図１に示すように、加湿ロータ６３の吸湿領域６３ａが空調室外ユニット３０の送風機室Ｓ１に位置し、加湿ロータ６３の放湿領域６３ｂが空調室外ユニット３０の機械室Ｓ２に位置するように、加湿ロータ６３は仕切板４３の開口部４３ａに配置されている。なお、本実施形態の加湿ロータ６３の吸湿領域６３ａは、送風機室Ｓ１の室外熱交換器３３と室外ファン３９との間に配置されており、室外熱交換器３３の第２部分３３ｂの前方に、室外熱交換器３３の第２部分３３ｂに正対するように隙間を空けて配置されている。このため、加湿ロータ６３の吸湿領域６３ａが室外熱交換器３３を通過する送風経路に掛かっており、この部分が吸湿経路となる。すなわち、加湿ロータ６３の吸湿領域６３ａが、吸湿経路内に配置されている。一方、加湿ロータ６３の放湿領域６３ｂは、放湿経路内に配置されている。
【００７０】
また、本実施形態の加湿ロータ６３の上端６３ｔは、室外熱交換器３３の上端３３ｔよりも低い位置にある。なお、空調室外ユニット３０の製品サイズが大きくなり過ぎない程度であれば、加湿ロータ６３と室外熱交換器３３との高さ位置の関係はこれに限定されない。例えば、加湿ロータ６３の上端６３ｔの高さ位置が室外熱交換器３３の上端３３ｔ近傍の高さ位置にあればよい。具体的には、加湿ロータ６３の上端６３ｔの高さが、室外熱交換器３３の上端３３ｔの高さと一致していてもよく、室外熱交換器３３の上端３３ｔよりも少し高い位置（例えば、室外熱交換器３３の高さの１０％程度高い位置）にあってもよい。
【００７１】
また、加湿ロータ６３は、正面視において、鉛直面に沿って配設される電装品箱５０の少なくとも一部と重なるように配設されている（図３参照）。なお、本実施形態では、正面視において、電装品箱５０の鉛直面と加湿ロータ６３の放湿領域６３ｂ及び再熱領域６３ｃの鉛直面とが対向して位置している。また、加湿ロータ６３と電装品箱５０とは、図４に示すように、前後に並ぶように配置されている。
【００７２】
（２−２−５−２）ヒータ７１
ヒータ７１は、加湿ロータ６３の放湿領域６３ｂの側方に設けられている。ヒータ７１は、筒状の筐体の中に電熱線（図示省略）が設けられた構造であり、吸入口７２から吸入されて加湿ロータ６３に送られる外気を電熱線で加熱する。加湿ロータ６３では、加湿ロータ６３のハニカム構造の開口を加熱された空気が通り抜けるときに、加湿ロータ６３から放湿されることで、ターボファン７５に吸い込まれる空気が加湿される。
【００７３】
ヒータ７１は、図５に示すように、ヒータ支持部材７４に取り付けられている。ヒータ支持部材７４は、半円状の基部７４ａと、基部７４ａの周縁部から立設する外壁部７４ｂとを有し、側方（加湿ロータ６３側）が解放されている。そして、ヒータ７１はヒータ支持部材７４に覆われるように、基部７４ａに取り付けられている。ヒータ支持部材７４は、放湿経路の一部を構成している。なお、ヒータ７１の筐体及びヒータ支持部材７４は、耐熱性を必要とするため板金によって形成されている。また、ヒータ７１は、空調室外ユニット３０の機械室Ｓ２に設置されており、加湿ロータ６３を挟んで電装品箱５０とは反対側に配置されている。
【００７４】
なお、本実施形態では、正面視において、電装品箱５０の鉛直面とヒータ支持部材７４の鉛直面とは約５割程度において重なっている。しかしながら、電装品箱５０及びヒータ支持部材７４の形状及び配置によっては、正面視において、ヒータ支持部材７４の鉛直面の８割以上が電装品箱５０の鉛直面と重なっていてもよい。
【００７５】
（２−２−５−３）ターボファン７５
ターボファン７５は、空調室外ユニット３０から空調室内ユニット２０へと向かう空気流れを生成する。また、ターボファン７５は、加湿ロータ６３を挟んでヒータ７１と対向ように配置されている。そして、電装品箱５０は、ターボファン７５及び加湿ロータ６３を挟んでヒータ７１とは反対側に配置されている。さらに、ターボファン７５は、図２や図４に示すように、機械室Ｓ２に設置されている。
【００７６】
ターボファン７５は、ファンモータ７５ａと、ファンモータ７５ａによって駆動される羽根車７５ｂと、羽根車７５ｂを収納するファンケーシング７５ｃと、を有しており、羽根車７５ｂの回転軸方向から吸入した空気を径方向外側に向かって吹き出す。なお、空調室外ユニット３０において、羽根車７５ｂの回転軸は前後方向に延びるように配置されている。このため、ターボファン７５は、前後方向に場所を取らない縦置きの配置となっている。また、ターボファン７５の吸込部７６は、後方に開口している。また、ターボファン７５の吐出部７７は、下方に開口している。そして、吐出部７７には加湿ダクト７８が接続されており、加湿ダクト７８には給気ダクト１８が取り付けられている。このため、ターボファン７５の吸込部７６から吸い込まれた空気は、加湿ダクト７８を介して給気ダクト１８に導かれ、給気ダクト１８を経て空調室内ユニット２０の吹出口２４から吹き出されることになる。
【００７７】
（３）加湿運転時の空気流れ
図６は、加湿ロータ６３における空気流れを説明するための図である。図７は、加湿ロータ６３の放湿領域６３ｂ、吸湿領域６３ａ及び再熱領域６３ｃを説明するための図である。なお、図７では、加湿ロータ６３を正面から見た場合の放湿領域６３ｂ、吸湿領域６３ａ及び再熱領域６３ｃをそれぞれ示している。以下に、加湿運転時における空気の流れについて説明する。なお、空気調和装置１０では、加湿運転は暖房運転と組み合わせて行われるものとする。このため、加湿運転時には、圧縮機３１及び室外ファン３９が駆動している。また、加湿運転時には、加湿ロータ６３がロータ駆動モータ６５の動力によって所定の回転速度で回転しており、ヒータ７１及びターボファン７５が駆動している。なお、加湿ロータ６３は回転するので、吸湿領域６３ａでの吸湿によって加湿ロータ６３に吸着された水分は加湿ロータ６３の回転に伴って放湿領域６３ｂに運ばれ、放湿領域６３ｂでの放湿によって吸着されていた水分が脱着されることで放湿領域６３ｂの周囲の空気が加湿される。また、本実施形態の加湿ロータ６３は、正面から見て反計回りに回転しており、吸湿領域６３ａとして機能した部分が回転してヒータ支持部材７４に対向する位置に来ると放湿領域６３ｂとして機能する。
【００７８】
加湿運転時には室外ファン３９が駆動しているため、室外熱交換器３３の背面側から室外熱交換器３３を通して吸い込まれた外気が空調室外ユニット３０の正面側へと吹き出される空気流れが生成されている。加湿ロータ６３の吸湿領域６３ａは、室外熱交換器３３の第２部分３３ｂと対向するように送風機室Ｓ１に位置しているため、主に室外熱交換器３３の第２部分３３ｂを通った外気が加湿ロータ６３の吸湿領域６３ａを後方から前方に向かって通る。加湿ロータ６３の吸湿領域６３ａを通過した空気は、ベルマウス４６ａを介して吹出口４４から吹き出される。
【００７９】
また、加湿運転時には、ターボファン７５が駆動しているため、空調室外ユニット３０から空調室内ユニット２０へと向かう空気流れ、すなわち吸入口７２から吸い込まれた外気が、加湿ロータ６３及びヒータ７１を介して給気ダクト１８に吹き出される空気流れが生成されている。より詳しくは、吸入口７２から吸入された外気は、まず、加湿ロータ６３の前方に回り込み、前方から後方に向かって加湿ロータ６３を通ってヒータ７１に至る。そして、ヒータ７１に至った外気は、ヒータ７１の筐体の中を通過する。このとき、ヒータ７１によって外気が加熱される。ヒータ７１の筐体を通過した空気は、加湿ロータ６３の放湿領域６３ｂに進み、加湿ロータ６３の放湿領域６３ｂを後方から前方に向かって通る。このとき、加湿ロータ６３の放湿領域６３ｂは、ヒータ７１によって温度が上昇した空気にさらされることで放湿する。そして、加湿ロータ６３の放湿領域６３ｂを抜けた空気は、フレーム７０に形成されている開口７０ａを介してターボファン７５に吸い込まれ、加湿ダクト７８を介して給気ダクト１８へと吹き出される。このように加湿ロータ６３によって加湿された空気は、給気ダクト１８を経て空調室内ユニット２０へと導かれる。
【００８０】
なお、この加湿ユニット６０では、図６及び図７に示すように、加湿ロータ６３のうち送風機室Ｓ１に位置する部分が吸湿領域６３ａになる。また、機械室Ｓ２に位置する加湿ロータ６３において、ヒータ７１よりも空気流れ下流側に位置する部分が放湿領域６３ｂとなり、それ以外の部分が再熱領域６３ｃとなる。再熱領域６３ｃは、吸入口７２から吸い込まれた外気が加湿ロータ６３を最初に通過する部分である。本実施形態の加湿ロータ６３は、正面視において反時計回りに回転しているため、吸湿領域６３ａ、放湿領域６３ｂ、再熱領域６３ｃの順に加湿ロータ６３の機能が入れ替わることになる。再熱領域６３ｃは、直前まで放湿領域６３ｂであった部分であることから、高温になっている。このため、吸入口７２から吸い込まれた外気は、再熱領域６３ｃを通過することで、再熱領域６３ｃの有する熱により加熱される。また、再熱領域６３ｃは外気が通過することで冷却され、加湿ロータ６３の回転により、その後、吸湿領域６３ａとなる。
【００８１】
（４）特徴
（４−１）
従来の空調室外ユニットには、加湿ロータが水平面に沿って配設されており、加湿ロータ全体が送風機室に位置していることで、室外熱交換器の一部が加湿ユニットで塞がれ、室外熱交換器において加湿ユニットで塞がれた部分を外気が通りにくくなり、室外熱交換器の性能が低下してしまうことがある。
【００８２】
そこで、本実施形態では、加湿ロータ６３が、鉛直面に沿って配設されている。また、加湿ロータ６３の吸湿領域６３ａが空調室外ユニット３０の送風機室Ｓ１に位置しており、加湿ロータ６３の放湿領域６３ｂが空調室外ユニット３０の機械室Ｓ２に位置している。このため、加湿ロータ６３が水平面に沿って配置されている場合と比較して、室外熱交換器３３と加湿ロータ６３との距離を大きくとることが可能となり、室外熱交換器３３への空気流れが遮られにくくなる。
【００８３】
これによって、室外熱交換器３３に外気が流れにくくなることに伴う室外熱交換器３３の性能低下を防止することができている。
【００８４】
また、本実施形態では、加湿ロータ６３が鉛直面に沿って配設されているため、加湿ロータ６３が水平面に沿って配設されているよりも、空調室外ユニット３０の奥行き、すなわち前後方向の寸法を短くすることができるため、製品サイズを小さくすることができている。
【００８５】
（４−２）
本実施形態の加湿ロータ６３の上端６３ｔは、室外熱交換器３３の上端３３ｔよりも低い位置にある。このため、加湿ロータ６３が、室外熱交換器３３の上端３３ｔよりも高い位置に配置されている場合と比較して、空調室外ユニット３０の高さ寸法を抑えることができる。これにより、室外熱交換器３３の能力を低減させずに製品サイズが大きくなるのを抑制することができている。
【００８６】
また、天板４８よりも低い位置に加湿ロータ６３の上端６３ｔがあることで、外気が加湿ロータ６３の吸湿領域６３ａに効率的に流れやすくなる。
【００８７】
（４−３）
本実施形態では、ヒータ７１、ロータ駆動モータ６５、及び電装品箱５０の本体５１は、空調室外ユニット３０の機械室Ｓ２に配置されている。このように電機部品が機械室Ｓ２にまとめて配置されていることで、配線の取り回しなど配線作業が簡易になる。これにより、空調室外ユニット３０の組立性及びメンテナンス性（サービス性）を向上させることができている。
【００８８】
また、本実施形態では、加湿ロータ６３の放湿領域６３ｂが空調室外ユニット３０の機械室Ｓ２に位置しているため、圧縮機３１や電装品の廃熱を利用して吸入口７２から吸い込まれる外気を加熱することができる。
【００８９】
（４−４）
本実施形態では、加湿ロータ６３と室外熱交換器３３との間には隙間がある。このため、加湿ロータ６３が室外熱交換器３３に接触しないようにすることができる。これにより、加湿ロータ６３の破損を防止することができている。特に、破損防止の観点から、本実施形態の加湿ロータ６３のように回転する部材は室外熱交換器３３に接触しないように構成することが好ましい。
【００９０】
（４−５）
本実施形態では、ヒータ７１が、加湿ロータ６３を挟んで電装品箱５０とは反対側に配置されている。このように、空調室外ユニット３０においてヒータ７１が加湿ロータ６３を挟んで電装品箱５０とは反対側に配置されていることで、加湿ユニット６０のヒータ７１と電装品箱５０とをできるだけ離隔することができる。このため、ヒータ７１からの熱が電装品箱５０に直接伝わりにくくなり、電装品箱５０の本体５１内の電子部品及び制御基板が熱により劣化するおそれを低減することができる。また、加湿ユニット６０のヒータ７１と電装品箱５０とをできるだけ離隔することで、ヒータ７１からの熱を電装品箱５０に伝わり難くして、ヒートシンク５２からの放熱が阻害されるおそれを低減することができる。
【００９１】
また、電装品箱５０にヒータ７１からの熱が伝わりにくいため、電装品箱５０を構成する部材の自由度が高まる。すなわち、例えば電装品箱５０を樹脂などの材料で形成する場合には耐熱性を考慮して材料を選択する必要があるが、本実施形態ではヒータ７１からの熱が電装品箱５０に伝わりにくいため、材料の選択の自由度が高まる。
【００９２】
さらに、加湿ロータ６３を基準として、ヒータ７１と電装品箱５０とが同一側に配置される場合には、電装品箱５０をヒータ７１から遠ざけるためにスペースを確保する必要があるが、加湿ロータ６３を挟んで電装品箱５０とは反対側にヒータ７１を配置することにより、電装品箱５０をヒータ７１から離隔させることができるため、電装品箱５０とヒータ７１とを離隔させるための別途のスペースを確保する必要がなく、空調室外ユニット３０内のスペースを有効活用できる。
【００９３】
本実施形態では、正面視において、電装品箱５０の鉛直面とヒータ支持部材７４の鉛直面とは約５割程度において重なっている。電装品箱５０及びヒータ支持部材７４の形状及び配置によっては、正面視において、ヒータ支持部材７４の鉛直面の８割以上が電装品箱５０の鉛直面と重なっていてもよい。ヒータ７１と電装品箱５０との重畳領域が大きい場合であっても、ヒータ７１と電装品箱５０とが加湿ロータ６３を挟んで重畳するように配置されるため、ヒータ７１からの熱が電装品箱５０に伝わりにくくすることができる。
【００９４】
（４−６）
本実施形態では、ターボファン７５が加湿ロータ６３を挟んでヒータ７１と対向ように配置されており、電装品箱５０がターボファン７５及び加湿ロータ６３を挟んでヒータ７１とは反対側に配置されている。このように、電装品箱５０がターボファン７５及び加湿ロータ６３を挟んでヒータ７１とは反対側に配置されていることで、ターボファン７５の分だけさらにヒータ７１と電装品箱５０とを離隔させることができる。これにより、ヒータ７１からの熱が電装品箱５０に伝わるのをさらに抑制できる。
【００９５】
（４−７）
本実施形態では、ロータ駆動モータ６５が機械室Ｓ２に配置されている。このため、室外ファン３９の駆動によりロータ駆動モータ６５が冷却されることがなく、これに起因するロータ駆動モータ６５の異常を防ぐことができる。これによって、ロータ駆動モータ６５の耐久性の確保を実現することができている。
【００９６】
ここで、ロータ駆動モータが、送風機室に配置されており、かつ加湿ロータと室外ファンとの間に配置されている場合、ロータ駆動モータの通風抵抗により、加湿ロータに外気が流れず、加湿ロータの吸湿性能が低下するおそれがある。
【００９７】
本実施形態では、正面視においてロータ駆動モータ６５と加湿ロータ６３とが重ならないように、ロータ駆動モータ６５が加湿ロータ６３の外周よりも径方向外側に配置されている。このため、ロータ駆動モータ６５の通風抵抗に起因する加湿ロータ６３の吸湿性能の低下を防止できている。
【００９８】
（４−８）
本実施形態では、正面視において、電装品箱５０の少なくとも一部が加湿ロータ６３と重なるように配設されている。このため、例えば、加湿ロータ６３と電装品箱５０とが正面視において重ならないように左右に並んで配置されているよりも、ケーシング４０の左右方向の寸法を小さくすることができる。
【００９９】
これによって、空調室外ユニット３０の小型化を実現することができている。
【０１００】
（４−９）
本実施形態では、加湿ロータ６３及び電装品箱５０それぞれが鉛直面に沿って配設されている。また、加湿ロータ６３と電装品箱５０とは、前後に並ぶように配置されている。このため、例えば、その長手方向が水平面に沿って延びるように電装品箱５０が配設されている場合、すなわち電装品箱５０が横置き配置されている場合よりも、ケーシング４０の前後方向の幅寸法を小さくすることができる。これによって、空調室外ユニット３０の薄型化を実現することができている。
【０１０１】
（４−１０）
本実施形態では、機械室Ｓ２が、前方に向かうにつれて左右方向の幅が広くなるように形成されている。また、電装品箱５０は、機械室Ｓ２の内部前方に配置される。このため、電装品箱５０が機械室Ｓ２の内部後方に配置されるよりも、電装品箱５０の左右方向の寸法を大きくすることができる。これによって、電装品箱５０の設計の自由度を向上させることができている。
【０１０２】
（５）変形例
（５−１）変形例Ａ
上記実施形態の空調室外ユニット３０では、後方から前方に向かって、加湿ユニット６０、電装品箱５０の順に配置されている。しかしながら、加湿ロータ６３が仕切板４３を跨ぐように配置されていれば、加湿ユニット６０及び電装品箱５０の位置関係はこれに限定されるものではなく、例えば、図８に示すように、後方から前方に向かって、電装品箱５０、加湿ユニット６０の順に配置されていてもよい。
【０１０３】
（５−２）変形例Ｂ
上記実施形態の空調室外ユニット３０では、室外ファン３９が駆動することで、外気は、室外熱交換器３３を通過した直後に加湿ロータ６３の吸湿領域６３ａへと至っている。しかしながら、加湿ロータ６３の吸湿領域６３ａを通る吸湿経路はこれに限定されるものではない。例えば、グリルの一部に閉鎖面を設け、室外ファン３９によって生じる空気流れの一部が該閉鎖面に押し当たり、加湿ロータ６３の吸湿領域６３ａへと至るようにしてもよい。
【０１０４】
（５−３）変形例Ｃ
図９は、ガイド６９の斜視図である。図１０は、ガイド６９が取り付けられた加湿ユニット６０の斜視図である。図１１は、ガイド６９が取り付けられた加湿ユニット６０を備える空調室外ユニット３０の平面図であり、空調室外ユニット３０の天板４８が取外された状態を示している。なお、図１１に記載の矢印は、加湿ロータ６３の吸湿領域６３ａを通る空気の流れを示している。
【０１０５】
上記実施形態に加えて、加湿ユニット６０に、吸湿経路の一部を構成するガイド６９が設けられていてもよい。例えば、ガイド６９は、加湿ロータ６３の外周縁或いはその近傍から室外熱交換器３３に向かって延びるように設けられていればよい。また、室外熱交換器３３を通った外気を加湿ロータ６３の吸湿領域６３ａに到達しやすくするという観点から、ガイド６９は加湿ロータ６３の外周縁から室外熱交換器３３近傍まで延びていることが好ましく、ガイド６９の先端が室外熱交換器３３に突き当たっていることがより好ましい。さらに、仕切板４３、ガイド６９及び天板４８によって、加湿ロータ６３の吸湿領域６３ａと室外熱交換器３３との間の空間が閉空間に構成されていてもよい。
【０１０６】
なお、ガイド６９の形状については、加湿ロータ６３の外周縁或いはその近傍から室外熱交換器３３に向かって延びる形状であれば、特に限定されるものではない。また、ガイド６９において、室外熱交換器３３側の端部を入口側端部、加湿ロータ６３側の端部を出口側端部とすると、特に入口側端部の形状については室外熱交換器３３の能力と加湿ロータ６３の吸湿能力とに基づいて設計されることが好ましい。
【０１０７】
このように、加湿ロータ６３の吸湿領域６３ａの外周縁から室外熱交換器３３に向かって延びるガイド６９が設けられていることで、室外熱交換器３３を通った外気が加湿ロータ６３の吸湿領域６３ａに到達し、吸湿領域６３ａを通過しやすくすることができる。この結果、通風抵抗により加湿ロータ６３の吸湿領域６３ａに外気が通らないという事態を回避することができる。これによって、加湿ロータ６３において水分吸着量が低減するおそれを減らすことができる。
【産業上の利用可能性】
【０１０８】
本発明は、室外熱交換器の性能低下を防止することができるものであり、加湿ユニットを備える空調室外ユニットへの適用が有効である。
【符号の説明】
【０１０９】
３０      空調室外ユニット
３１      圧縮機
３３      室外熱交換器
３３ｔ    室外熱交換器の上端
３９      室外ファン
４０      ケーシング
６０      加湿ユニット
６３      加湿ロータ（ロータ）
６３ａ    吸湿領域
６３ｂ    放湿領域
６３ｔ    加湿ロータの上端
６５      ロータ駆動モータ
７１      ヒータ
【先行技術文献】
【特許文献】
【０１１０】
【特許文献１】特開２０１２−２５１６９２号公報
【図１】
2015092130.tif 000003
【図２】
2015092130.tif 000004
【図３】
2015092130.tif 000005
【図４】
2015092130.tif 000006
【図５】
2015092130.tif 000007
【図６】
2015092130.tif 000008
【図７】
2015092130.tif 000009
【図８】
2015092130.tif 000010
【図９】
2015092130.tif 000011
【図１０】
2015092130.tif 000012
【図１１】
2015092130.tif 000013
【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
内部が左右に並ぶ送風機室（Ｓ１）と機械室（Ｓ２）とに分かれるケーシング（４０）と、
前記機械室に配置される圧縮機（３１）と、
前記送風機室に配置される室外熱交換器（３３）と、
前記送風機室に配置されており、前記室外熱交換器に外気を通す室外ファン（３９）と、
外気中の水分を吸着する吸湿領域（６３ａ）と加熱されることで前記吸湿領域に吸着した水分を放出する放湿領域（６３ｂ）とを含み鉛直面に沿って前記室外熱交換器よりも前方に配設される板状のロータ（６３）、を有する加湿ユニット（６０）と、
を備え、
前記ロータは、前記吸湿領域が前記送風機室に位置し、前記放湿領域が前記機械室に位置するように配置されており、
前記ロータを回転駆動させるロータ駆動モータ（６５）の全体が、前記機械室に配置されており、
前記ロータの上端（６３ｔ）は、前記室外熱交換器の上端（３３ｔ）近傍、或いは前記室外熱交換器の上端よりも低い位置にあるように配置されている、
空調室外ユニット（３０）。
【請求項２】
前記圧縮機及び前記室外ファンを含む機器の制御を行うための電装品を収納する電装品箱（５０）、
を備え、
前記電装品箱は、正面視において、少なくともその一部が前記ロータと重なるように配置されている、
請求項１に記載の空調室外ユニット。
【請求項３】
前記電装品箱は、鉛直面に沿って配設されており、
前記電装品箱と前記ロータとは、前後に並ぶように配置されている、
請求項２に記載の空調室外ユニット。
【請求項４】
前記機械室は、前方に向かうにつれて左右方向の幅が広くなるように形成されており、
前記電装品箱は、前記機械室の内部前方に配置されている、
請求項２又は３に記載の空調室外ユニット。
【請求項５】
前記加湿ユニットは、前記放湿領域を加熱するためのヒータ（７１）、を有し、
前記ヒータは、前記機械室に配置される、
請求項１から４のいずれか１項に記載の空調室外ユニット。
【請求項６】
前記室外熱交換器と前記ロータとの間には、隙間がある、
請求項１から５のいずれか１項に記載の空調室外ユニット。
【手続補正２】
【補正対象書類名】明細書
【補正対象項目名】全文
【補正方法】変更
【補正の内容】
【発明の詳細な説明】
【技術分野】
【０００１】
本発明は、加湿ユニットを備える空調室外ユニットに関する。
【背景技術】
【０００２】
従来より、圧縮機、室外熱交換器及び室外ファンなどを収納する室外ユニットの上に、室外ユニットとは別体で室内を加湿するための加湿ユニットを搭載した空調室外ユニットがある。このような空調室外ユニットでは、加湿ユニットが室外ユニットの上に搭載されていることで空調室外ユニットの高さ寸法が大きくなるため、空調室外ユニットの製品サイズが大きくなるという問題がある。
【０００３】
これに対する対策の１つとして、例えば、特許文献１（特開２０１２−２５１６９２号公報）に開示されている空調室外ユニットでは、加湿ユニットの備える各部品を室外ユニット上部に移動させて室外ユニットに内蔵し空調室外ユニットの高さ寸法を抑えることで、加湿機能を備えており、かつ製品サイズを小さくした空調室外ユニットを実現している。
【発明の概要】
【発明が解決しようとする課題】
【０００４】
ところで、一般的に、空調室外ユニットの内部は、圧縮機等が配置される機械室と室外熱交換器及び室外ファン等が配置される送風機室とに分かれている。ここで、特許文献１に開示されている空調室外ユニットでは、加湿ユニットの備える部品の１つであり外気から水分を吸着しかつ吸着した水分を放湿するロータは、水平面に沿って配置されている。さらに、該ロータ全体が、送風機室に位置しており、室外熱交換器の前方に配置されている。ロータがこのように配置されると、室外熱交換器の一部が加湿ユニットで塞がれてしまうことがある。そうすると、室外熱交換器において加湿ユニットで塞がれた部分を外気が通りにくくなるため、室外熱交換器の性能が低下してしまうおそれがある。
【０００５】
そこで、本発明の課題は、室外熱交換器の性能低下を防止することができる空調室外ユニットを提供することにある。
【課題を解決するための手段】
【０００６】
本発明の第１観点に係る空調室外ユニットは、ケーシングと、圧縮機と、室外熱交換器と、室外ファンと、加湿ユニットと、を備える。ケーシングは、内部が左右に並ぶ送風機室と機械室とに分かれている。圧縮機は、機械室に配置される。室外熱交換器は、送風機室に配置される。室外ファンは、送風機室に配置されている。また、室外ファンは、室外熱交換器に外気を通す。加湿ユニットは、板状のロータを有する。ロータは、吸湿領域と、放湿領域とを含む。吸湿領域は、外気中の水分を吸着する領域である。放湿領域は、加熱されることで吸湿領域に吸着した水分を放湿する領域である。また、ロータは、鉛直面に沿って室外熱交換器より前方に配設される。ロータは、吸湿領域が送風機室に位置し、放湿領域が機械室に位置するように、配置されている。ロータを回転駆動させるロータ駆動モータの全体が、機械室に配置されている。ロータは、その上端が、室外熱交換器の上端近傍、或いは室外熱交換器の上端よりも低い位置にあるように配置されている。
【０００７】
本発明の第１観点に係る空調室外ユニットでは、ロータが鉛直面に沿って配設されており、吸湿領域が送風機室に位置しており、放湿領域が機械室に位置している。このため、ロータを水平面に沿って配置している形態と比較して、室外熱交換器とロータとの距離を大きくとることが可能となり、室外熱交換器に外気が流れにくくなることに伴う性能低下を防止することができる。
【０００８】
ここで、ロータを回転駆動させるロータ駆動モータが送風機室と機械室とに跨って配置されているような場合、ロータ駆動モータにおいて、送風機室側に位置する部分は室外ファンの駆動により発生する外気流に晒されることになり、機械室側に位置する部分は圧縮機等の駆動により発生する排熱に晒されることになる。そうすると、ロータ駆動モータにおいて、送風機室側に位置する部分が冷却され、圧縮機室側に位置する部分が加熱されるため、ロータ駆動モータに異常が生じやすくなり、この結果、ロータ駆動モータの耐久性の確保が難しくなる。
【０００９】
本発明では、ロータ駆動モータの全体が機械室に配置されている。このため、送風ファンの駆動によりその一部が冷却されることに起因するロータ駆動モータの異常を防ぐことができる。これにより、ロータ駆動モータの耐久性の確保を実現することができる。
【００１０】
なお、ここでいうロータが鉛直面に沿って配設されるとは、ロータが鉛直面に対して全く傾斜していないものから、ロータが鉛直面に対して±１５°程度傾いて配置されているものまで含まれる。
【００１１】
さらに、本発明では、ロータの上端が、室外熱交換器の上端近傍、或いは室外熱交換器の上端よりも低い位置にあるように配置されている。このため、この空調室外ユニットでは、製品サイズが過度に大きくなるのを抑制することができる。
【００１２】
本発明の第２観点に係る空調室外ユニットは、第１観点の空調室外ユニットにおいて、電装品箱を備える。電装品箱は、圧縮機及び室外ファンを含む機器の制御を行うための電装品を収納する。そして、電装品箱は、空調室外ユニットの正面視において、少なくともその一部がロータと重なるように配置されている。この空調室外ユニットでは、正面視において、電装品箱の少なくとも一部がロータと重なるように配置されている。このため、例えば、ロータと電装品箱とが正面視において重ならないように左右に並んで配置されているよりも、ケーシングの左右方向の寸法を小さくすることができる。
【００１３】
これによって、空調室外ユニットの小型化を実現することができる。
【００１４】
本発明の第３観点に係る空調室外ユニットは、第２観点の空調室外ユニットにおいて、電装品箱は、鉛直面に沿って配設される。そして、電装品箱とロータとは、前後に並ぶように配置されている。この空調室外ユニットでは、ロータ及び電装品箱それぞれが鉛直面に沿って配設されており、電装品箱とロータとが前後に並ぶように配置されているため、例えば、その長手方向が水平面に沿って延びるように電装品箱が配設されているよりも、ケーシングの前後方向の幅寸法を小さくすることができる。
【００１５】
これによって、空調室外ユニットの薄型化を実現することができる。
【００１６】
なお、ここでいう電装品箱が鉛直面に沿って配設されるとは、電装品箱が鉛直面に対して全く傾斜していないものから、電装品箱が鉛直面に対して±１５°程度傾いて配置されているものまで含まれる。
【００１７】
本発明の第４観点に係る空調室外ユニットは、第２観点又は第３観点の空調室外ユニットにおいて、機械室は、前方に向かうにつれて左右方向の幅が広くなるように形成されている。そして、電装品箱は、機械室の内部前方に配置されている。この空調室外ユニットでは、機械室の内部後方よりも左右方向の幅が広い機械室の内部前方に電装品箱が配置されるため、電装品箱が機械室の内部後方に配置されるよりも、電装品箱の左右方向の寸法を大きくすることができる。
【００１８】
これにより、電装品箱の設計の自由度を向上させることができる。
【００１９】
本発明の第５観点に係る空調室外ユニットは、第１観点から第４観点のいずれかの空調室外ユニットにおいて、加湿ユニットは、ヒータを有する。ヒータは、放湿領域を加熱するためのものである。そして、ヒータは、機械室に配置される。この空調室外ユニットでは、ヒータ及びロータ駆動モータが機械室に配置されるため、配線の取り回し作業を簡易にすることができる。これにより、組立性及びメンテナンス性を向上させることができる。
【００２０】
本発明の第６観点に係る空調室外ユニットは、第１観点から第５観点のいずれかの空調室外ユニットにおいて、室外熱交換器とロータとの間には、隙間がある。このため、この空調室外ユニットでは、ロータが室外熱交換器に接触しないようにすることができ、ロータの破損を防止することができる。
【００２１】
本発明の第７観点に係る空調室外ユニットは、ケーシングと、圧縮機と、室外熱交換器と、室外ファンと、加湿ユニットと、電装品箱と、を備える。ケーシングは、内部が左右に並ぶ送風機室と機械室とに分かれている。圧縮機は、機械室に配置される。室外熱交換器は、送風機室に配置される。室外ファンは、送風機室に配置されている。また、室外ファンは、室外熱交換器に外気を通す。加湿ユニットは、板状のロータを有する。ロータは、吸湿領域と、放湿領域とを含む。吸湿領域は、外気中の水分を吸着する領域である。放湿領域は、加熱されることで吸湿領域に吸着した水分を放湿する領域である。また、ロータは、鉛直面に沿って室外熱交換器より前方に配設される。電装品箱は、圧縮機及び室外ファンを含む機器の制御を行うための電装品を収納する。ロータは、吸湿領域が送風機室に位置し、放湿領域が機械室に位置するように、配置されている。そして、電装品箱は、正面視において、少なくともその一部がロータと重なるように配置されている。
【００２２】
従来より、圧縮機、室外熱交換器及び室外ファンなどを収納する室外ユニットと、外気から水分を吸着しかつ吸着した水分を放湿するロータを有する加湿ユニットとを備える空調室外ユニットがある。そして、一般に、圧縮機や室外ファン等の制御を行うための電装品を収納する電装品箱は、空調室外ユニットの内部に配置されている。
【００２３】
ところで、ロータと電装品箱とが正面視において重ならないように左右に並んで配置されている場合、ケーシングの左右方向の寸法は、ロータ及び電装品箱の左右方向の寸法以上の寸法が必要になる。このように、ケーシングを設計する際には、収納される機器の寸法を考慮しなければならないところ、ケーシングの寸法が大きくなると、空調室外ユニットの製品サイズが大きくなるという問題がある。
【００２４】
そこで、本発明の第７観点に係る空調室外ユニットでは、正面視において、電装品箱の少なくとも一部がロータと重なるように配置されている。このため、例えば、ロータと電装品箱とが正面視において、重ならないように左右に並んで配置されているよりも、ケーシングの左右方向の寸法を小さくすることができる。
【００２５】
これによって、空調室外ユニットの小型化を実現することができる。
【００２６】
なお、ここでいうロータが鉛直面に沿って配設されるとは、ロータが鉛直面に対して全く傾斜していないものから、ロータが鉛直面に対して±１５°程度傾いて配置されているものまで含まれる。
【００２７】
ここで、空調室外ユニットにおいて、ロータや電装品箱の長手方向が水平面に沿って延びるようにロータや電装品箱が配置されている場合、ケーシングの前後方向の幅寸法は、ロータや電装品箱の前後方向の幅寸法を考慮して設計する必要がある。
【００２８】
そこで、本発明に係る空調室外ユニットにおいて、電装品箱が鉛直面に沿って配設されており、電装品箱とロータとが、前後に並ぶように配置されていれば、例えば、その長手方向が水平面に沿って延びるように電装品箱が配設されているよりも、ケーシングの前後方向の幅寸法を小さくすることができる。
【００２９】
これによって、空調室外ユニットの薄型化を実現することができる。
【００３０】
なお、ここでいう電装品箱が鉛直面に沿って配設されるとは、電装品箱が鉛直面に対して全く傾斜していないものから、電装品箱が鉛直面に対して±１５°程度傾いて配置されているものまで含まれる。
【００３１】
さらに、本発明に係る空調室外ユニットにおいて、機械室が、前方に向かうにつれて左右方向の幅が広くなるように形成されており、電装品箱が、機械室の内部前方に配置されていれば、機械室の内部後方よりも左右方向の幅が広い機械室の内部前方に電装品箱が配置されるため、電装品箱が機械室の内部後方に配置されるよりも、電装品箱の左右方向の
寸法を大きくすることができる。
【００３２】
これにより、電装品箱の設計の自由度を向上させることができる。
【００３３】
そして、本発明に係る空調室外ユニットにおいて、加湿ユニットが放湿領域を加熱するためのヒータを有しており、ロータがロータ駆動モータによって回転駆動され、電装品箱だけでなくヒータ及びロータ駆動モータが機械室に配置されていれば、配線の取り回し作業を簡易にすることができる。これにより、組立性及びメンテナンス性を向上させることができる。
【発明の効果】
【００３４】
本発明の第１観点に係る空調室外ユニットでは、室外熱交換器の性能低下を防止することができる。
【００３５】
本発明の第２観点に係る空調室外ユニットでは、空調室外ユニットの小型化を実現することができる。
【００３６】
本発明の第３観点に係る空調室外ユニットでは、空調室外ユニットの薄型化を実現することができる。
【００３７】
本発明の第４観点に係る空調室外ユニットでは、電装品箱の設計の自由度を向上させることができる。
【００３８】
本発明の第５観点に係る空調室外ユニットでは、組立性及びメンテナンス性を向上させることができる。
【００３９】
本発明の第６観点に係る空調室外ユニットでは、ロータの破損を防止することができる。
【図面の簡単な説明】
【００４０】
【図１】本発明の一実施形態に係る空調室外ユニットを備える空気調和装置の概略冷媒回路図。
【図２】本発明の一実施形態に係る空調室外ユニットの正面図。
【図３】本発明の一実施形態に係る空調室外ユニットの斜視図。
【図４】本発明の一実施形態に係る空調室外ユニットの平面図。
【図５】加湿ユニットの分解図。
【図６】加湿ロータにおける空気流れを説明するための図。
【図７】加湿ロータの放湿領域、吸湿領域及び再熱領域を説明するための図。
【図８】変形例Ａに係る空調室外ユニットにおいて、加湿ユニット及び電装品箱の配置を説明するための図。
【図９】変形例Ｃに係る空調室外ユニットの備えるガイドの斜視図。
【図１０】変形例Ｃに係る空調室外ユニットの備える加湿ユニットの斜視図。
【図１１】変形例Ｃに係る空調室外ユニットの平面図。
【発明を実施するための形態】
【００４１】
以下、図面を参照しながら、本発明の実施形態について説明する。なお、本発明に係る空調室外ユニット３０の実施形態は、以下に説明する実施形態に限られるものではなく、発明の要旨を逸脱しない範囲で変更可能である。
【００４２】
（１）全体構成
本発明の一実施形態に係る空調室外ユニット３０を備える空気調和装置１０は、図１に示すように、空調室外ユニット３０の他に、空調室内ユニット２０を備えており、空調室内ユニット２０と空調室外ユニット３０とが連絡配管１２によって接続されて構成されている。この空気調和装置１０は、冷房運転、暖房運転、除湿運転、加湿運転及び換気運転などの複数の運転モードを有しており、これらの運転モードを適宜組み合わせることもできる。
【００４３】
冷房運転及び暖房運転では、室内の空気を冷やしたり温めたりするため、空調室内ユニット２０及び空調室外ユニット３０でそれぞれ熱交換が行われ、連絡配管１２を通して空調室内ユニット２０と空調室外ユニット３０との間で熱の移動がある。このような熱交換と熱の移動とを行わせるために、空気調和装置１０は、図１に示すような冷媒回路を有している。冷媒回路には、主に、圧縮機３１、四路切替弁３２、室外熱交換器３３、電動弁３４及び室内熱交換器２１が接続されている。室内熱交換器２１は、空調室内ユニット２０に設けられており、圧縮機３１、四路切替弁３２、室外熱交換器３３及び電動弁３４は、空調室外ユニット３０に設けられている。そして、連絡配管１２の中には、空調室内ユニット２０と空調室外ユニット３０とを実質的に接続している液冷媒配管１４及びガス冷媒配管１６が通っている。
【００４４】
また、加湿運転及び換気運転では、室内に外気を供給するため、連絡配管１２の中を通る給気ダクト１８を介して空調室外ユニット３０から空調室内ユニット２０への空気の移動がある。特に、加湿運転では、水分を多く含んだ湿度の高い空気を空調室外ユニット３０から空調室内ユニット２０に供給するため、空調室外ユニット３０において外気から水分を積極的に取り込む。このため、空調室外ユニット３０は、外気から水分を取り込む機能を有する加湿ユニット６０を備えている。
【００４５】
（１−１）冷媒回路の動作
冷媒回路の動作は従来からあるものと変わらないが、図１に示す冷媒回路の動作について簡単に説明する。
【００４６】
冷房時には、四路切替弁３２が図１に示す実線の状態に接続されており、圧縮機３１で圧縮されて吐出された冷媒が四路切替弁３２を介して室外熱交換器３３に送られる。室外熱交換器３３で外気との熱交換が行われて熱を奪われた冷媒は、電動弁３４に送られる。高圧液状の冷媒が電動弁３４で低圧状態に変化する。電動弁３４で膨張した冷媒は、フィルタ３５を介して液閉鎖弁３７及び液冷媒配管１４を通って室内熱交換器２１に入る。室内熱交換器２１で室内空気との熱交換が行われて熱を奪って温度が上昇した冷媒は、ガス冷媒配管１６及びガス閉鎖弁３８を通って四路切替弁３２に送られる。四路切替弁３２はガス閉鎖弁３８とアキュムレータ３６とが接続された状態であるため、ガス冷媒配管１６を通って室内熱交換器２１から送られてきた冷媒は、アキュムレータ３６を介して圧縮機３１に送られ圧縮機３１に吸入される。
【００４７】
暖房時には、四路切替弁３２が図１に示す破線の状態に接続されており、圧縮機３１で圧縮されて吐出された冷媒が室内熱交換器２１に送られる。そして、冷房時とは逆の経路をたどって、室外熱交換器３３を出た冷媒は圧縮機３１に戻ってくる。つまり、暖房時には、圧縮機３１、四路切替弁３２、ガス冷媒配管１６、室内熱交換器２１、液冷媒配管１４、電動弁３４、室外熱交換器３３、四路切替弁３２、アキュムレータ３６及び圧縮機３１の順に冷媒が循環する。
【００４８】
（２）詳細構成
（２−１）空調室内ユニット２０の構成
空調室内ユニット２０には、室内熱交換器２１の他に、図１に示すように、モータで駆動される室内ファン２２が室内熱交換器２１の下流側に設けられている。室内ファン２２としては、例えばクロスフローファンが採用される。室内ファン２２が駆動されると、空調室内ユニット２０上部の吸込口２３から吸い込まれた室内空気が、室内熱交換器２１を通過して空調室内ユニット２０下部の吹出口２４から吹き出される。
【００４９】
また、空調室内ユニット２０には、給気ダクト１８の給気口２５が、室内熱交換器２１の上流側空間に設けられている。給気ダクト１８は加湿ユニット６０に接続されており、加湿ユニット６０から送られてくる空気が給気口２５から室内熱交換器２１の上流側空間に供給される。そして、加湿ユニット６０から送られてくる空気が湿度の高い空気である場合、該空気が給気口２５から供給されている状態で室内ファン２２を駆動することにより、空調室内ユニット２０の吹出口２４から吹き出される調和空気の湿度を高くすることができる。このとき同時に室内熱交換器２１を凝縮器として用いることで、空調室内ユニット２０に、加湿運転と暖房運転を同時に行わせることができる。
【００５０】
（２−２）空調室外ユニット３０の構成
（２−２−１）空調室外ユニット３０の構成の概要
空調室外ユニット３０は、ケーシング４０を備えている。そして、図１に示すように、ケーシング４０の内部は、仕切板４３によって送風機室Ｓ１と機械室Ｓ２とに分けられている。空調室外ユニット３０では、送風機室Ｓ１から機械室Ｓ２に風が回り込まないように、送風機室Ｓ１と機械室Ｓ２とが仕切板４３によって遮蔽されている。
【００５１】
空調室外ユニット３０には、冷媒回路を構成する上述の機器や加湿ユニット６０の他に、室外ファン３９が室外熱交換器３３の前方に配設されている。なお、図１に示すように、室外ファン３９及び室外熱交換器３３は送風機室Ｓ１に配置されており、圧縮機３１、四路切替弁３２、電動弁３４及びアキュムレータ３６は、機械室Ｓ２に配置されている。
【００５２】
（２−２−２）ケーシング４０
図２は、空調室外ユニット３０の正面図であり、空調室外ユニット３０から電装品箱５０、グリル及び前板４６の一部が取り外された状態を示している。図３は、空調室外ユニット３０の斜視図であり、電装品箱５０の本体５１、グリル及び天板４８が取り外された空調室外ユニット３０において、図２で取り外されている前板４６の一部を仮想面とした状態を示している。図４は、空調室外ユニット３０の平面図であり、空調室外ユニット３０の天板４８が取外された状態を示している。なお、図４に記載の矢印は、加湿ロータ６３の吸湿領域６３ａを通る空気の流れを示している。
【００５３】
空調室外ユニット３０のケーシング４０は、図２、図３及び図４に示すように、前板４６、左側板４５、右側板４７、天板４８及び底板４９を備えている。
【００５４】
前板４６には、図２及び図３に示すように、円形の吹出口４４が形成されており、吹出口４４の周囲にリング状のベルマウス４６ａが取り付けられている。また、吹出口４４の前面側は、グリル（図示せず）で覆われており、後述する室外ファン３９のプロペラ３９ｂが空調室外ユニット３０の外部にある物と接触しないよう構成されている。グリルは、ケーシング４０の前板４６に取り付けられている。
【００５５】
また、左側板４５は、図３に示すように、格子形状に成形されており、左側方から室外熱交換器３３に外気を導くことができる。右側板４７は、後述する室外熱交換器３３の第２部分３３ｂの右端から右側面に至る後面の一部及び右側面全体を構成している。
【００５６】
なお、送風機室Ｓ１の後側には、室外熱交換器３３の第２部分３３ｂを覆う保護金網が取り付けられている。図示省略されているが、保護金網は、室外熱交換器３３の第２部分３３ｂに外気を導くための開口が形成されている。
【００５７】
また、本実施形態では、右側板４７には、後述する放湿経路の入口となる吸入口７２が形成されている。
【００５８】
仕切板４３は、図４に示すように、室外熱交換器３３の右端から前方に向かって延びるとともに、底板４９から上方に延びている。このため、仕切板４３を境として、ケーシング４０の内部は左右に並ぶ送風機室Ｓ１と機械室Ｓ２とに分かれているといえる。また、前方に向かうにつれて機械室Ｓ２の左右方向の幅が広くなるように、仕切板４３が前後方向に対して斜めに配設されている（図４参照）。なお、本実施形態では、仕切板４３は湾曲している。また、仕切板４３の後部は、底板４９から天板４８まで延びている。一方、仕切板４３の前部及び中央部には、上縁から下方に向かって切り欠かれた開口部４３ａが形成されている（図３及び図４参照）。開口部４３ａには、後述する加湿ユニット６０の一部及び電装品箱５０の一部が配置される。電装品箱５０は、本体５１と、ヒートシンク５２とを有する。本体５１は、例えばアルミ等の金属製であってもよく、弾性を有する樹脂製であってもよい。樹脂材料としては、例えばＨＩＰＳ（High Impact Polystyrene）及びＡＢＳ（Acrylonitrile Butadiene Styrene）等が用いられる。本体５１は、前方に開口した箱状の部材であり、空調室外ユニット３０の正面視において開口が前方に位置するように配置される。すなわち、本体５１は、機械室Ｓ２の内部前方に配置されているといえる。また、本体５１には、空調室外ユニット３０の備える各種機器を駆動するための電子部品を集約した制御基板（図示せず）が搭載されている。制御基板は、電子部品等が配置されている面が本体５１の開口に面するように配置されている。そして、本体５１の開口を塞ぐように前板４６が配置される。このため、前板４６を外すことで制御基板が露出することになり、本体５１内のメンテナンスが容易になっている。また、本体５１は、鉛直面に沿って配設されている。なお、ここでいう本体５１が鉛直面に沿って配設されているとは、本体５１が鉛直面に対して全く傾斜していないものから、本体５１が鉛直面に対して±１５°程度傾いて配置されているものまで含まれる。そして、本実施形態の本体５１は、鉛直面に対して全く傾いていないものとする。このため、本体５１は、前後方向に場所を取らないように幅方向（厚さ方向）が前後に延びる縦置きの配置となっている。ヒートシンク５２は、本体５１に収納された電装品の発熱を外部に逃がすためのフィンであって、開口部４３ａから送風機室Ｓ１内に向かって突出するように配置されている。なお、本実施形態では、ヒートシンク５２全体が送風機室Ｓ１側に配置されているが、ヒートシンク５２の一部が機械室Ｓ２側に配置されていてもよい。また、仕切板４３の前端部は、前板４６に接して取り付けられる。
【００５９】
（２−２−３）室外熱交換器３３
室外熱交換器３３は、図３及び図４に示すように、上面視Ｌ型の形状を呈しており、ケーシング４０の左側板４５に正対する第１部分３３ａと、ケーシング４０の背面を構成する保護金網に正対する第２部分３３ｂとを有する。
【００６０】
また、室外熱交換器３３は、底板４９から天板４８に達する背丈を持っている。そして、室外熱交換器３３は、高さ方向に長く延びる多数のフィンと、フィンを貫いて水平に取り付けられている伝熱管とを有している。伝熱管は、室外熱交換器３３の両端部で複数回折り返されることによって高さ方向に多数列配置されている。
【００６１】
（２−２−４）室外ファン３９
室外ファン３９は、室外熱交換器３３の背面側（後方側）から室外熱交換器３３を通して吸い込まれた外気を、空調室外ユニット３０の正面側（前方側）に吹き出させるファンであって、本実施形態では、プロペラファンである。室外ファン３９は、ファンモータ３９ａと、ファンモータ３９ａによって駆動されるプロペラ３９ｂを有する。プロペラ３９ｂは、その一部がベルマウス４６ａで囲まれた空間内に入るように配置されている。また、ファンモータ３９ａはプロペラ３９ｂの背面側に取り付けられており、プロペラ３９ｂの回転軸とファンモータ３９ａの駆動軸とが結合されている。さらに、ファンモータ３９ａは、ファンモータ台（図示せず）によって支持されている。ファンモータ台は、底板４９及び室外熱交換器３３の上端３３ｔに固定された固定板（図示せず）に取り付けられている。
【００６２】
（２−２−５）加湿ユニット６０
図５は、加湿ユニット６０の分解図である。加湿ユニット６０は、吸湿経路と放湿経路とを有しており、吸湿経路が空調室外ユニット３０の送風機室Ｓ１に、放湿経路が空調室外ユニット３０の機械室Ｓ２に位置するように配設されている。
【００６３】
また、空調室外ユニット３０において、加湿ユニット６０の上端の位置は、室外熱交換器３３の上端（頂部）３３ｔ近傍、或いは室外熱交換器３３の上端３３ｔよりも低い位置にあるように配置されている。なお、本実施形態では、加湿ユニット６０の上端とはフレーム７０の上端のことであり、フレーム７０の上端の高さは室外熱交換器３３の上端３３ｔの高さと一致しているものとする。
【００６４】
加湿ユニット６０は、主に、加湿ロータ６３と、ヒータ７１と、ターボファン７５と、を備えている。そして、加湿ロータ６３の一部が吸湿経路に配置されており、加湿ロータ６３の他部、ヒータ７１及びターボファン７５が放湿経路に配置されている。また、加湿ロータ６３、ヒータ７１及びターボファン７５は、フレーム７０に固定されている。より詳しくは、ヒータ７１及び加湿ロータ６３は支持板７３に固定されており、支持板７３がフレーム７０の背面側に取り付けられている（図５参照）。また、ターボファン７５は、支持板７３が取り付けられている面とは反対側のフレーム７０の正面側に取り付けられている（図５参照）。
【００６５】
（２−２−５−１）加湿ロータ６３
加湿ロータ６３は、１つの板状の吸放湿材である。なお、加湿ロータ６３の形状は板状であればどのような形状であってもよい。本実施形態では、加湿ロータ６３は、円盤状を呈するものとする。また、ここでいう１つの板状の吸放湿材には、単体の板状の吸放湿材が加湿ロータ６３を構成しているものの他、同一形状又は異なる形状の吸放湿材が複数組み合わされて１つの板状の加湿ロータ６３を構成しているものも含まれる。加湿ロータ６３は、ゼオライト等の焼成によって形成されたハニカム構造のゼオライトロータである。加湿ロータ６３は、円盤の中心を回転軸として回転するように取り付けられ、加湿ロータ６３の周囲に設けられているギア６４に伝達されるロータ駆動モータ６５の動力によって回転駆動される。ロータ駆動モータ６５は、その全体が機械室Ｓ２に配置されている。さらに、本実施形態では、ロータ駆動モータ６５は、正面視において、加湿ロータ６３と重ならないように、加湿ロータ６３の外周よりも径方向外側に配置されている。
【００６６】
加湿ロータ６３を形成しているゼオライト等の吸着剤は、例えば常温で空気から吸湿し、ヒータ７１などで高温に加熱された空気により常温よりも高い温度になることによって放湿するという性質を持っている。すなわち、加湿ロータ６３のうちの高温の空気にさらされていない領域が外気中から水分を吸着する吸湿領域６３ａになり、高温の空気にさらされている領域が吸着した水分を放出する放湿領域６３ｂになる。
【００６７】
また、加湿ロータ６３は、回転軸が前後方向に延びるように配置されている。すなわち、加湿ロータ６３は、鉛直面に沿って配設されている。なお、ここでいう加湿ロータ６３が鉛直面に沿って配設されているとは、加湿ロータ６３が鉛直面に対して全く傾斜していないものから、加湿ロータ６３が鉛直面に対して±１５°程度傾いて配置されているものまで含まれる。そして、本実施形態の加湿ロータ６３は、鉛直面に対して全く傾いていないものとする。このため、加湿ロータ６３は、前後方向に場所を取らないように幅方向（厚さ方向）が前後に延びる縦置きの配置となっている。
【００６８】
さらに、図１に示すように、加湿ロータ６３の吸湿領域６３ａが空調室外ユニット３０の送風機室Ｓ１に位置し、加湿ロータ６３の放湿領域６３ｂが空調室外ユニット３０の機械室Ｓ２に位置するように、加湿ロータ６３は仕切板４３の開口部４３ａに配置されている。なお、本実施形態の加湿ロータ６３の吸湿領域６３ａは、送風機室Ｓ１の室外熱交換器３３と室外ファン３９との間に配置されており、室外熱交換器３３の第２部分３３ｂの前方に、室外熱交換器３３の第２部分３３ｂに正対するように隙間を空けて配置されている。このため、加湿ロータ６３の吸湿領域６３ａが室外熱交換器３３を通過する送風経路に掛かっており、この部分が吸湿経路となる。すなわち、加湿ロータ６３の吸湿領域６３ａが、吸湿経路内に配置されている。一方、加湿ロータ６３の放湿領域６３ｂは、放湿経路内に配置されている。
【００６９】
また、本実施形態の加湿ロータ６３の上端６３ｔは、室外熱交換器３３の上端３３ｔよりも低い位置にある。なお、空調室外ユニット３０の製品サイズが大きくなり過ぎない程度であれば、加湿ロータ６３と室外熱交換器３３との高さ位置の関係はこれに限定されない。例えば、加湿ロータ６３の上端６３ｔの高さ位置が室外熱交換器３３の上端３３ｔ近傍の高さ位置にあればよい。具体的には、加湿ロータ６３の上端６３ｔの高さが、室外熱交換器３３の上端３３ｔの高さと一致していてもよく、室外熱交換器３３の上端３３ｔよりも少し高い位置（例えば、室外熱交換器３３の高さの１０％程度高い位置）にあってもよい。
【００７０】
また、加湿ロータ６３は、正面視において、鉛直面に沿って配設される電装品箱５０の少なくとも一部と重なるように配設されている（図３参照）。なお、本実施形態では、正面視において、電装品箱５０の鉛直面と加湿ロータ６３の放湿領域６３ｂ及び再熱領域６３ｃの鉛直面とが対向して位置している。また、加湿ロータ６３と電装品箱５０とは、図４に示すように、前後に並ぶように配置されている。
【００７１】
（２−２−５−２）ヒータ７１
ヒータ７１は、加湿ロータ６３の放湿領域６３ｂの側方に設けられている。ヒータ７１は、筒状の筐体の中に電熱線（図示省略）が設けられた構造であり、吸入口７２から吸入されて加湿ロータ６３に送られる外気を電熱線で加熱する。加湿ロータ６３では、加湿ロータ６３のハニカム構造の開口を加熱された空気が通り抜けるときに、加湿ロータ６３から放湿されることで、ターボファン７５に吸い込まれる空気が加湿される。
【００７２】
ヒータ７１は、図５に示すように、ヒータ支持部材７４に取り付けられている。ヒータ支持部材７４は、半円状の基部７４ａと、基部７４ａの周縁部から立設する外壁部７４ｂとを有し、側方（加湿ロータ６３側）が解放されている。そして、ヒータ７１はヒータ支持部材７４に覆われるように、基部７４ａに取り付けられている。ヒータ支持部材７４は、放湿経路の一部を構成している。なお、ヒータ７１の筐体及びヒータ支持部材７４は、耐熱性を必要とするため板金によって形成されている。また、ヒータ７１は、空調室外ユニット３０の機械室Ｓ２に設置されており、加湿ロータ６３を挟んで電装品箱５０とは反対側に配置されている。
【００７３】
なお、本実施形態では、正面視において、電装品箱５０の鉛直面とヒータ支持部材７４の鉛直面とは約５割程度において重なっている。しかしながら、電装品箱５０及びヒータ支持部材７４の形状及び配置によっては、正面視において、ヒータ支持部材７４の鉛直面の８割以上が電装品箱５０の鉛直面と重なっていてもよい。
【００７４】
（２−２−５−３）ターボファン７５
ターボファン７５は、空調室外ユニット３０から空調室内ユニット２０へと向かう空気流れを生成する。また、ターボファン７５は、加湿ロータ６３を挟んでヒータ７１と対向ように配置されている。そして、電装品箱５０は、ターボファン７５及び加湿ロータ６３を挟んでヒータ７１とは反対側に配置されている。さらに、ターボファン７５は、図２や図４に示すように、機械室Ｓ２に設置されている。
【００７５】
ターボファン７５は、ファンモータ７５ａと、ファンモータ７５ａによって駆動される羽根車７５ｂと、羽根車７５ｂを収納するファンケーシング７５ｃと、を有しており、羽根車７５ｂの回転軸方向から吸入した空気を径方向外側に向かって吹き出す。なお、空調室外ユニット３０において、羽根車７５ｂの回転軸は前後方向に延びるように配置されている。このため、ターボファン７５は、前後方向に場所を取らない縦置きの配置となっている。また、ターボファン７５の吸込部７６は、後方に開口している。また、ターボファン７５の吐出部７７は、下方に開口している。そして、吐出部７７には加湿ダクト７８が接続されており、加湿ダクト７８には給気ダクト１８が取り付けられている。このため、ターボファン７５の吸込部７６から吸い込まれた空気は、加湿ダクト７８を介して給気ダクト１８に導かれ、給気ダクト１８を経て空調室内ユニット２０の吹出口２４から吹き出されることになる。
【００７６】
（３）加湿運転時の空気流れ
図６は、加湿ロータ６３における空気流れを説明するための図である。図７は、加湿ロータ６３の放湿領域６３ｂ、吸湿領域６３ａ及び再熱領域６３ｃを説明するための図である。なお、図７では、加湿ロータ６３を正面から見た場合の放湿領域６３ｂ、吸湿領域６３ａ及び再熱領域６３ｃをそれぞれ示している。以下に、加湿運転時における空気の流れについて説明する。なお、空気調和装置１０では、加湿運転は暖房運転と組み合わせて行われるものとする。このため、加湿運転時には、圧縮機３１及び室外ファン３９が駆動している。また、加湿運転時には、加湿ロータ６３がロータ駆動モータ６５の動力によって所定の回転速度で回転しており、ヒータ７１及びターボファン７５が駆動している。なお、加湿ロータ６３は回転するので、吸湿領域６３ａでの吸湿によって加湿ロータ６３に吸着された水分は加湿ロータ６３の回転に伴って放湿領域６３ｂに運ばれ、放湿領域６３ｂでの放湿によって吸着されていた水分が脱着されることで放湿領域６３ｂの周囲の空気が加湿される。また、本実施形態の加湿ロータ６３は、正面から見て反計回りに回転しており、吸湿領域６３ａとして機能した部分が回転してヒータ支持部材７４に対向する位置に来ると放湿領域６３ｂとして機能する。
【００７７】
加湿運転時には室外ファン３９が駆動しているため、室外熱交換器３３の背面側から室外熱交換器３３を通して吸い込まれた外気が空調室外ユニット３０の正面側へと吹き出される空気流れが生成されている。加湿ロータ６３の吸湿領域６３ａは、室外熱交換器３３の第２部分３３ｂと対向するように送風機室Ｓ１に位置しているため、主に室外熱交換器３３の第２部分３３ｂを通った外気が加湿ロータ６３の吸湿領域６３ａを後方から前方に向かって通る。加湿ロータ６３の吸湿領域６３ａを通過した空気は、ベルマウス４６ａを介して吹出口４４から吹き出される。
【００７８】
また、加湿運転時には、ターボファン７５が駆動しているため、空調室外ユニット３０から空調室内ユニット２０へと向かう空気流れ、すなわち吸入口７２から吸い込まれた外気が、加湿ロータ６３及びヒータ７１を介して給気ダクト１８に吹き出される空気流れが生成されている。より詳しくは、吸入口７２から吸入された外気は、まず、加湿ロータ６３の前方に回り込み、前方から後方に向かって加湿ロータ６３を通ってヒータ７１に至る。そして、ヒータ７１に至った外気は、ヒータ７１の筐体の中を通過する。このとき、ヒータ７１によって外気が加熱される。ヒータ７１の筐体を通過した空気は、加湿ロータ６３の放湿領域６３ｂに進み、加湿ロータ６３の放湿領域６３ｂを後方から前方に向かって通る。このとき、加湿ロータ６３の放湿領域６３ｂは、ヒータ７１によって温度が上昇した空気にさらされることで放湿する。そして、加湿ロータ６３の放湿領域６３ｂを抜けた空気は、フレーム７０に形成されている開口７０ａを介してターボファン７５に吸い込まれ、加湿ダクト７８を介して給気ダクト１８へと吹き出される。このように加湿ロータ６３によって加湿された空気は、給気ダクト１８を経て空調室内ユニット２０へと導かれる。
【００７９】
なお、この加湿ユニット６０では、図６及び図７に示すように、加湿ロータ６３のうち送風機室Ｓ１に位置する部分が吸湿領域６３ａになる。また、機械室Ｓ２に位置する加湿ロータ６３において、ヒータ７１よりも空気流れ下流側に位置する部分が放湿領域６３ｂとなり、それ以外の部分が再熱領域６３ｃとなる。再熱領域６３ｃは、吸入口７２から吸い込まれた外気が加湿ロータ６３を最初に通過する部分である。本実施形態の加湿ロータ６３は、正面視において反時計回りに回転しているため、吸湿領域６３ａ、放湿領域６３ｂ、再熱領域６３ｃの順に加湿ロータ６３の機能が入れ替わることになる。再熱領域６３ｃは、直前まで放湿領域６３ｂであった部分であることから、高温になっている。このため、吸入口７２から吸い込まれた外気は、再熱領域６３ｃを通過することで、再熱領域６３ｃの有する熱により加熱される。また、再熱領域６３ｃは外気が通過することで冷却され、加湿ロータ６３の回転により、その後、吸湿領域６３ａとなる。
【００８０】
（４）特徴
（４−１）
従来の空調室外ユニットには、加湿ロータが水平面に沿って配設されており、加湿ロータ全体が送風機室に位置していることで、室外熱交換器の一部が加湿ユニットで塞がれ、室外熱交換器において加湿ユニットで塞がれた部分を外気が通りにくくなり、室外熱交換器の性能が低下してしまうことがある。
【００８１】
そこで、本実施形態では、加湿ロータ６３が、鉛直面に沿って配設されている。また、加湿ロータ６３の吸湿領域６３ａが空調室外ユニット３０の送風機室Ｓ１に位置しており、加湿ロータ６３の放湿領域６３ｂが空調室外ユニット３０の機械室Ｓ２に位置している。このため、加湿ロータ６３が水平面に沿って配置されている場合と比較して、室外熱交換器３３と加湿ロータ６３との距離を大きくとることが可能となり、室外熱交換器３３への空気流れが遮られにくくなる。
【００８２】
これによって、室外熱交換器３３に外気が流れにくくなることに伴う室外熱交換器３３の性能低下を防止することができている。
【００８３】
また、本実施形態では、加湿ロータ６３が鉛直面に沿って配設されているため、加湿ロータ６３が水平面に沿って配設されているよりも、空調室外ユニット３０の奥行き、すなわち前後方向の寸法を短くすることができるため、製品サイズを小さくすることができている。
【００８４】
（４−２）
本実施形態の加湿ロータ６３の上端６３ｔは、室外熱交換器３３の上端３３ｔよりも低い位置にある。このため、加湿ロータ６３が、室外熱交換器３３の上端３３ｔよりも高い位置に配置されている場合と比較して、空調室外ユニット３０の高さ寸法を抑えることができる。これにより、室外熱交換器３３の能力を低減させずに製品サイズが大きくなるのを抑制することができている。
【００８５】
また、天板４８よりも低い位置に加湿ロータ６３の上端６３ｔがあることで、外気が加湿ロータ６３の吸湿領域６３ａに効率的に流れやすくなる。
【００８６】
（４−３）
本実施形態では、ヒータ７１、ロータ駆動モータ６５、及び電装品箱５０の本体５１は、空調室外ユニット３０の機械室Ｓ２に配置されている。このように電機部品が機械室Ｓ２にまとめて配置されていることで、配線の取り回しなど配線作業が簡易になる。これにより、空調室外ユニット３０の組立性及びメンテナンス性（サービス性）を向上させることができている。
【００８７】
また、本実施形態では、加湿ロータ６３の放湿領域６３ｂが空調室外ユニット３０の機械室Ｓ２に位置しているため、圧縮機３１や電装品の廃熱を利用して吸入口７２から吸い込まれる外気を加熱することができる。
【００８８】
（４−４）
本実施形態では、加湿ロータ６３と室外熱交換器３３との間には隙間がある。このため、加湿ロータ６３が室外熱交換器３３に接触しないようにすることができる。これにより、加湿ロータ６３の破損を防止することができている。特に、破損防止の観点から、本実施形態の加湿ロータ６３のように回転する部材は室外熱交換器３３に接触しないように構成することが好ましい。
【００８９】
（４−５）
本実施形態では、ヒータ７１が、加湿ロータ６３を挟んで電装品箱５０とは反対側に配置されている。このように、空調室外ユニット３０においてヒータ７１が加湿ロータ６３を挟んで電装品箱５０とは反対側に配置されていることで、加湿ユニット６０のヒータ７１と電装品箱５０とをできるだけ離隔することができる。このため、ヒータ７１からの熱が電装品箱５０に直接伝わりにくくなり、電装品箱５０の本体５１内の電子部品及び制御基板が熱により劣化するおそれを低減することができる。また、加湿ユニット６０のヒータ７１と電装品箱５０とをできるだけ離隔することで、ヒータ７１からの熱を電装品箱５０に伝わり難くして、ヒートシンク５２からの放熱が阻害されるおそれを低減することができる。
【００９０】
また、電装品箱５０にヒータ７１からの熱が伝わりにくいため、電装品箱５０を構成する部材の自由度が高まる。すなわち、例えば電装品箱５０を樹脂などの材料で形成する場合には耐熱性を考慮して材料を選択する必要があるが、本実施形態ではヒータ７１からの熱が電装品箱５０に伝わりにくいため、材料の選択の自由度が高まる。
【００９１】
さらに、加湿ロータ６３を基準として、ヒータ７１と電装品箱５０とが同一側に配置される場合には、電装品箱５０をヒータ７１から遠ざけるためにスペースを確保する必要があるが、加湿ロータ６３を挟んで電装品箱５０とは反対側にヒータ７１を配置することにより、電装品箱５０をヒータ７１から離隔させることができるため、電装品箱５０とヒータ７１とを離隔させるための別途のスペースを確保する必要がなく、空調室外ユニット３０内のスペースを有効活用できる。
【００９２】
本実施形態では、正面視において、電装品箱５０の鉛直面とヒータ支持部材７４の鉛直面とは約５割程度において重なっている。電装品箱５０及びヒータ支持部材７４の形状及び配置によっては、正面視において、ヒータ支持部材７４の鉛直面の８割以上が電装品箱５０の鉛直面と重なっていてもよい。ヒータ７１と電装品箱５０との重畳領域が大きい場合であっても、ヒータ７１と電装品箱５０とが加湿ロータ６３を挟んで重畳するように配置されるため、ヒータ７１からの熱が電装品箱５０に伝わりにくくすることができる。
【００９３】
（４−６）
本実施形態では、ターボファン７５が加湿ロータ６３を挟んでヒータ７１と対向ように配置されており、電装品箱５０がターボファン７５及び加湿ロータ６３を挟んでヒータ７１とは反対側に配置されている。このように、電装品箱５０がターボファン７５及び加湿ロータ６３を挟んでヒータ７１とは反対側に配置されていることで、ターボファン７５の分だけさらにヒータ７１と電装品箱５０とを離隔させることができる。これにより、ヒータ７１からの熱が電装品箱５０に伝わるのをさらに抑制できる。
【００９４】
（４−７）
本実施形態では、ロータ駆動モータ６５が機械室Ｓ２に配置されている。このため、室外ファン３９の駆動によりロータ駆動モータ６５が冷却されることがなく、これに起因するロータ駆動モータ６５の異常を防ぐことができる。これによって、ロータ駆動モータ６５の耐久性の確保を実現することができている。
【００９５】
ここで、ロータ駆動モータが、送風機室に配置されており、かつ加湿ロータと室外ファンとの間に配置されている場合、ロータ駆動モータの通風抵抗により、加湿ロータに外気が流れず、加湿ロータの吸湿性能が低下するおそれがある。
【００９６】
本実施形態では、正面視においてロータ駆動モータ６５と加湿ロータ６３とが重ならないように、ロータ駆動モータ６５が加湿ロータ６３の外周よりも径方向外側に配置されている。このため、ロータ駆動モータ６５の通風抵抗に起因する加湿ロータ６３の吸湿性能の低下を防止できている。
【００９７】
（４−８）
本実施形態では、正面視において、電装品箱５０の少なくとも一部が加湿ロータ６３と重なるように配設されている。このため、例えば、加湿ロータ６３と電装品箱５０とが正面視において重ならないように左右に並んで配置されているよりも、ケーシング４０の左右方向の寸法を小さくすることができる。
【００９８】
これによって、空調室外ユニット３０の小型化を実現することができている。
【００９９】
（４−９）
本実施形態では、加湿ロータ６３及び電装品箱５０それぞれが鉛直面に沿って配設されている。また、加湿ロータ６３と電装品箱５０とは、前後に並ぶように配置されている。このため、例えば、その長手方向が水平面に沿って延びるように電装品箱５０が配設されている場合、すなわち電装品箱５０が横置き配置されている場合よりも、ケーシング４０の前後方向の幅寸法を小さくすることができる。これによって、空調室外ユニット３０の薄型化を実現することができている。
【０１００】
（４−１０）
本実施形態では、機械室Ｓ２が、前方に向かうにつれて左右方向の幅が広くなるように形成されている。また、電装品箱５０は、機械室Ｓ２の内部前方に配置される。このため、電装品箱５０が機械室Ｓ２の内部後方に配置されるよりも、電装品箱５０の左右方向の寸法を大きくすることができる。これによって、電装品箱５０の設計の自由度を向上させることができている。
【０１０１】
（５）変形例
（５−１）変形例Ａ
上記実施形態の空調室外ユニット３０では、後方から前方に向かって、加湿ユニット６０、電装品箱５０の順に配置されている。しかしながら、加湿ロータ６３が仕切板４３を跨ぐように配置されていれば、加湿ユニット６０及び電装品箱５０の位置関係はこれに限定されるものではなく、例えば、図８に示すように、後方から前方に向かって、電装品箱５０、加湿ユニット６０の順に配置されていてもよい。
【０１０２】
（５−２）変形例Ｂ
上記実施形態の空調室外ユニット３０では、室外ファン３９が駆動することで、外気は、室外熱交換器３３を通過した直後に加湿ロータ６３の吸湿領域６３ａへと至っている。しかしながら、加湿ロータ６３の吸湿領域６３ａを通る吸湿経路はこれに限定されるものではない。例えば、グリルの一部に閉鎖面を設け、室外ファン３９によって生じる空気流れの一部が該閉鎖面に押し当たり、加湿ロータ６３の吸湿領域６３ａへと至るようにしてもよい。
【０１０３】
（５−３）変形例Ｃ
図９は、ガイド６９の斜視図である。図１０は、ガイド６９が取り付けられた加湿ユニット６０の斜視図である。図１１は、ガイド６９が取り付けられた加湿ユニット６０を備える空調室外ユニット３０の平面図であり、空調室外ユニット３０の天板４８が取外された状態を示している。なお、図１１に記載の矢印は、加湿ロータ６３の吸湿領域６３ａを通る空気の流れを示している。
【０１０４】
上記実施形態に加えて、加湿ユニット６０に、吸湿経路の一部を構成するガイド６９が設けられていてもよい。例えば、ガイド６９は、加湿ロータ６３の外周縁或いはその近傍から室外熱交換器３３に向かって延びるように設けられていればよい。また、室外熱交換器３３を通った外気を加湿ロータ６３の吸湿領域６３ａに到達しやすくするという観点から、ガイド６９は加湿ロータ６３の外周縁から室外熱交換器３３近傍まで延びていることが好ましく、ガイド６９の先端が室外熱交換器３３に突き当たっていることがより好ましい。さらに、仕切板４３、ガイド６９及び天板４８によって、加湿ロータ６３の吸湿領域６３ａと室外熱交換器３３との間の空間が閉空間に構成されていてもよい。
【０１０５】
なお、ガイド６９の形状については、加湿ロータ６３の外周縁或いはその近傍から室外熱交換器３３に向かって延びる形状であれば、特に限定されるものではない。また、ガイド６９において、室外熱交換器３３側の端部を入口側端部、加湿ロータ６３側の端部を出口側端部とすると、特に入口側端部の形状については室外熱交換器３３の能力と加湿ロータ６３の吸湿能力とに基づいて設計されることが好ましい。
【０１０６】
このように、加湿ロータ６３の吸湿領域６３ａの外周縁から室外熱交換器３３に向かって延びるガイド６９が設けられていることで、室外熱交換器３３を通った外気が加湿ロータ６３の吸湿領域６３ａに到達し、吸湿領域６３ａを通過しやすくすることができる。この結果、通風抵抗により加湿ロータ６３の吸湿領域６３ａに外気が通らないという事態を回避することができる。これによって、加湿ロータ６３において水分吸着量が低減するおそれを減らすことができる。
【産業上の利用可能性】
【０１０７】
本発明は、室外熱交換器の性能低下を防止することができるものであり、加湿ユニットを備える空調室外ユニットへの適用が有効である。
【符号の説明】
【０１０８】
３０      空調室外ユニット
３１      圧縮機
３３      室外熱交換器
３３ｔ    室外熱交換器の上端
３９      室外ファン
４０      ケーシング
６０      加湿ユニット
６３      加湿ロータ（ロータ）
６３ａ    吸湿領域
６３ｂ    放湿領域
６３ｔ    加湿ロータの上端
６５      ロータ駆動モータ
７１      ヒータ
【先行技術文献】
【特許文献】
【０１０９】
【特許文献１】特開２０１２−２５１６９２号公報